(57)【要約】      （修正有）【課題】アップリンク／ダウンリンクにおいて異なる伝送時間間隔（ＴＴＩ）を使用する時又は通信システムが複数のＴＴＩを使用する時に、合理的なスケジューリング及びフィードバックのタイムシーケンスを確定し、情報の正常の伝送を保証する情報伝送の方法及び装置を提供する。【解決手段】情報伝送の方法において、受信側装置は、第１時間単位内で、送信側装置より送信された第１情報を受信することと、第２時間単位内で、送信側装置に該第１情報に対応する第２情報を送信することとを含む。ここで、第１時間単位の時間の長さが、第２時間単位の時間の長さと異なる。【選択図】図２
2020191639.tif 000002
【特許請求の範囲】
【請求項１】
情報伝送の方法であって、
受信側装置は、サブフレームａ内の第１ターゲットの時間単位内で、送信側装置より送信された第１情報を受信することと、および
前記受信側装置は、サブフレームａ＋１内の第２ターゲットの時間単位内で、前記第１情報に対応する第２情報を送信することと、
を含み、
ここで、前記サブフレームａは、６つの第１時間単位を含み、前記サブフレームａ＋１は、２つの第２時間単位を含み、前記第１時間単位の時間の長さが、前記第２時間単位の時間の長さと異なり、
前記第１ターゲットの時間単位が、前記６つの第１時間単位における前の３つの第１時間単位のうちの１つである場合、前記第２ターゲットの時間単位は、前記２つの第２時間単位の最初の時間単位であり、または
前記第１ターゲットの時間単位が、前記６つの第１時間単位における後の３つの第１時間単位のうちの１つである場合、前記第２ターゲットの時間単位は、前記２つの第２時間単位の２番目の時間単位である、
ことを特徴とする前記情報伝送の方法。
【請求項２】
前記第１時間単位の時間の長さは、前記第２時間単位の時間の長さより短い、
ことを特徴とする請求項１に記載の情報伝送の方法。
【請求項３】
前記第１情報は、物理ダウンリンク共有チャネル（ＰＤＳＣＨ）上で搬送されるダウンリンクデータであり、前記第２情報は、前記ダウンリンクデータのフィードバック情報である、
ことを特徴とする請求項１又は２に記載の情報伝送の方法。
【請求項４】
前記６つの第１時間単位のいずれか２つは重複しなく、および
前記２つの第２時間単位は重複しない、
ことを特徴とする請求項１〜３のいずれか一項に記載の情報伝送の方法。
【請求項５】
前記６つの第１時間単位のｉ番目の第１時間単位の終了時間は、ｉ＋１番目の第１時間単位の開始時間であり、ｉは、１より大きいか等しいく且つ５より小さいか等しい整数であり、および
前記２つの第２時間単位の前の第２時間単位の終了時間は、後の第２時間単位の開始時間である、
ことを特徴とする請求項４に記載の情報伝送の方法。
【請求項６】
前記サブフレームａの６つの第１時間単位のそれぞれに含まれる時間領域リソースは連続的であり、および
前記サブフレームａ＋１の２つの第２時間単位のそれぞれに含まれる時間領域リソースは連続的である、
ことを特徴とする請求項４又は５に記載の情報伝送の方法。
【請求項７】
受信側装置であって、
サブフレームａ内の第１ターゲットの時間単位内で、送信側装置より送信された第１情報を受信するように構成される受信ユニットと、および
サブフレームａ＋１内の第２ターゲットの時間単位内で、前記第１情報に対応する第２情報を送信するように構成される送信ユニットと、
を含み、
ここで、前記サブフレームａは、６つの第１時間単位を含み、前記サブフレームａ＋１は、２つの第２時間単位を含み、前記第１時間単位の時間の長さが、前記第２時間単位の時間の長さと異なり、
前記第１ターゲットの時間単位が、前記６つの第１時間単位における前の３つの第１時間単位のうちの１つである場合、前記第２ターゲットの時間単位は、前記２つの第２時間単位の最初の時間単位であり、または
前記第１ターゲットの時間単位が、前記６つの第１時間単位における後の３つの第１時間単位のうちの１つである場合、前記第２ターゲットの時間単位は、前記２つの第２時間単位の２番目の時間単位である、
ことを特徴とする前記受信側装置。
【請求項８】
前記第１時間単位の時間の長さは、前記第２時間単位の時間の長さより短い、
ことを特徴とする請求項７に記載の受信側装置。
【請求項９】
前記第１情報は、物理ダウンリンク共有チャネル（ＰＤＳＣＨ）上で搬送されるダウンリンクデータであり、前記第２情報は、前記ダウンリンクデータのフィードバック情報である、
ことを特徴とする請求項７又は８に記載の受信側装置。
【請求項１０】
前記６つの第１時間単位のいずれか２つは重複しなく、および
前記２つの第２時間単位は重複しない、
ことを特徴とする請求項７〜９のいずれか一項に記載の受信側装置。
【請求項１１】
前記６つの第１時間単位のｉ番目の第１時間単位の終了時間は、ｉ＋１番目の第１時間単位の開始時間であり、ｉは、１より大きいか等しいく且つ５より小さいか等しい整数であり、および
前記２つの第２時間単位の前の第２時間単位の終了時間は、後の第２時間単位の開始時間である、
ことを特徴とする請求項１０に記載の受信側装置。
【請求項１２】
前記サブフレームａの６つの第１時間単位のそれぞれに含まれる時間領域リソースは連続的であり、および
前記サブフレームａ＋１の２つの第２時間単位のそれぞれに含まれる時間領域リソースは連続的である、
ことを特徴とする請求項１０又は１１に記載受信側装置。
【発明の詳細な説明】
【技術分野】
【０００１】
本発明は、通信分野に関し、具体的には、情報伝送の方法及び装置に関する。
【背景技術】
【０００２】
将来の通信技術において、エアインターフェース技術、及びその応用の継続的な発展に伴い、遅延の短縮は、重要な評価指標の一つになっている。例えば、移動端末のリアルタイムの遠隔監視（Ｒｅａｌ−ｔｉｍｅ  Ｒｅｍｏｔｅ  Ｃｏｍｐｕｔｉｎｇ  ｆｏｒ  Ｍｏｂｉｌｅ  Ｔｅｒｍｉｎａｌｓ）におけるエンドツーエンドの遅延を１０ｍｓより小さくように、トラフィック効率及び安全性サービス（Ｔｒａｆｆｉｃ  Ｅｆｆｉｃｉｅｎｔｙ  ａｎｄ  Ｓａｆｅｔｙ）における遅延を５ｍｓとするように求められ、それに対して現行のロング・ターム・エボリューション（ＬＴＥ：Ｌｏｎｇ  Ｔｅｒｍ  Ｅｖｏｌｕｔｉｏｎ）の伝送時間間隔（ＴＴＩ：Ｔｒａｎｓｍｉｓｓｉｏｎ  Ｔｉｍｅ  Ｉｎｔｅｒｖａｌ）の時間の長さは１ｍｓである。
【０００３】
データ処理と復号化とに関する遅延は主にＴＴＩに関わっており、そのため、伝送遅延を短縮する重要な技術のうちの一つは、ＴＴＩを短縮させることである。現在、ＬＴＥ−Ａ  Ｒｅｌ−１３において、より短いＴＴＩを使用してデータ伝送を行うような研究が始まっている。しかし、短いＴＴＩでの伝送をサポートする搬送波において、現行のＬＴＥシステムとの互換性を保証するように求められ、即ち、同時に１ｍｓのＴＴＩも対応する必要がある。短いＴＴＩの利点は、伝送遅延を短縮することにあるが、それに応じで、制御シグナリングのオーバーヘッドが高く、スペクトルの効率が低い代価を払うことになる。
【０００４】
アップリンク／ダウンリンクのサービス遅延に関する要求が異なる可能性があり、またアップリンク伝送のカバレッジが不良である可能性があるため、システムが、アップリンク／ダウンリンクにおいて異なるＴＴＩを使用することをサポートする可能性があることを考慮し、アップリンク／ダウンリンクにおいて異なるＴＴＩを使用する時のスケジューリング、及びフィードバックのタイムシーケンスを確定する方法が必要である。
【発明の概要】
【０００５】
本発明は、情報伝送の方法と装置を提供し、アップリンク／ダウンリンクにおいて、異なる伝送時間間隔（ＴＴＩ）を使用する時、又は通信システムが複数のＴＴＩを使用する時に、合理的なスケジューリング、及びフィードバックのタイムシーケンスを確定し、情報の正常の伝送を保証する。
【０００６】
第１態様において、情報伝送の方法を提供し、受信側装置は、第１時間単位内で、送信側装置より送信された第１情報を受信することと、
該受信側装置は、第２時間単位内で、該送信側装置に該第１情報に対応する第２情報を送信することと、
を含み、ここで、該第１時間単位の時間の長さが、該第２時間単位の時間の長さと異なる。
【０００７】
そのため、本発明の実施例における情報伝送の方法によって、アップリンク／ダウンリンクにおいて、異なる伝送時間間隔（ＴＴＩ）を使用する時、又は通信システムが複数のＴＴＩを使用する時に、受信側装置と送信側装置は、合理的なスケジューリング及びフィードバックタイムシーケンスを確定することができ、情報の正常の伝送を保証する。
【０００８】
第１態様を結合して、第１態様の第１種類の可能な実現方式において、該第２時間単位は、該第１時間単位の開始時刻からターゲット時間の長さを経過してからの１個目の該第２時間単位であり、ここで、該ターゲット時間の長さは、該第１時間単位の時間の長さの整数倍である。
【０００９】
それによって、通信システムが従来技術よりもっと短いＴＴＩを使用する時に、受信側装置と送信側装置は、本発明の実施例における方法によって、最適なフィードバックタイムシーケンスを確定することができる。
【００１０】
第１態様又は上記の実現方式を結合して、第１態様の第２種類の実現方式において、一つのサブフレーム内にＭ個の該第１時間単位が含まれ、該Ｍ個の該第１時間単位中のｉ個目の該第１時間単位の終了時刻は、ｉ＋１個目の該第１時間単位の開始時刻の前であり、又は、ｉ個目の該第１時間単位の終了時刻は、ｉ＋１個目の該第１時間単位の開始時刻であり、ここで、Ｍが１以上の正の整数であり、Ｍの値が１である場合、ｉを０とし、Ｍが１より大きい正の整数である場合、ｉを１以上、且つＭ−１以下の正の整数とする。
【００１１】
一つのサブフレームはＮ個の該第２時間単位を含み、該Ｎ個の該第２時間単位内のｋ個目の該第２時間単位の終了時刻は、ｋ＋１個目の該第２時間単位の開始時刻の前であり、又は、該Ｎ個の該第２時間単位内のｋ個目の該第２時間単位の終了時刻は、ｋ＋１個目の該第２時間単位の開始時刻であり、ここで、Ｎが１以上の正の整数であり、Ｎの値が１である場合、ｋを０とし、Ｎが１より大きい正の整数である場合、ｋを１以上、且つＮ−１以下の正の整数とする。
【００１２】
第１態様の第２種類の実現方式を結合して、第１態様の第３種類の実現方式において、該方法が周波数分割複信（ＦＤＤ）システムに適用される場合、Ｎの値が１であり、Ｍの値が２であり、
ここで、該受信側装置は、第１時間単位内で、送信側装置より送信された第１情報を受信し、該受信側装置は、第２時間単位内で、該送信側装置に該第１情報に対応する第２情報を送信することは、
該受信側装置は、サブフレームａ内の１個目の該第１時間単位内で該第１情報を受信し、該受信側装置はサブフレームａ＋２において、該送信側装置に該第２情報を送信すること、及び／又は、該受信側装置は、サブフレームａ内の２個目の該第１時間単位内で該第１情報を受信し、該受信側装置は、サブフレームａ＋３において、該送信側装置に該第２情報を送信することを含み、ａがサブフレームインデックス番号である。
【００１３】
第１態様の第２種類の実現方式を結合し、第１態様の第４種類の実現方式において、該方法が周波数分割複信（ＦＤＤ）システムに適用される場合、Ｎの値が１であり、Ｍが３以上の正の整数であり、
ここで、該受信側装置は、第１時間単位内で、送信側装置より送信された第１情報を受信し、該受信側装置は、第２時間単位内で、該送信側装置に該第１情報に対応する第２情報を送信することは、該受信側装置は、サブフレームａ内の先頭からＭ−３個の該第１時間単位のうちのいずれか一つの該第１時間単位内で、該第１情報を受信し、該受信側装置は、サブフレームａ＋１において、該送信側装置に該第２情報を送信すること、及び／又は、該受信側装置は、サブフレームａ内の末尾から３個の該第１時間単位のうちのいずれか一つの該第１時間単位内で該第１情報を受信し、該受信側装置はサブフレームａ＋２において、該送信側装置に該第２情報を送信することを含み、ａがサブフレームインデックス番号である。
【００１４】
第１態様の第２種類の実現方式を結合し、第１態様の第５種類の実現方式において、該方法が周波数分割複信（ＦＤＤ）システムに適用される場合、Ｍの値が１であり、Ｎが２以上の正の整数であり、
ここで、該受信側装置は、第１時間単位内で、送信側装置より送信された第１情報を受信し、該受信側装置は、第２時間単位内で、該送信側装置に該第１情報に対応する第２情報を送信することは、該受信側装置は、サブフレームａにおいて、該第１情報を受信し、該受信側装置は、サブフレームａ＋４内の１個目の該第２時間単位内で、該送信側装置に該第２情報を送信することを含み、ａがサブフレームインデックス番号である。
【００１５】
第１態様の第２種類の実現方式を結合し、第１態様の第６種類の実現方式において、該方法が周波数分割複信（ＦＤＤ）システムに適用される場合、Ｍの値が３であり、Ｎが２以上の正の整数であり、
ここで、該受信側装置は、第１時間単位内で送信側装置より送信された第１情報を受信し、該受信側装置は、第２時間単位内で、該送信側装置に該第１情報に対応する第２情報を送信することは、該受信側装置は、サブフレームａ内の１個目の該第１時間単位内で該第１情報を受信し、該受信側装置は、サブフレームａ＋１内の２個目の該第２時間単位内で該送信側装置に該第２情報を送信すること、及び／又は、該受信側装置は、サブフレームａ内の２個目の該第１時間単位内又は３個目の該第１時間単位内で、該第１情報を受信し、該受信側装置は、サブフレームａ＋２内の１個目の該第２時間単位内で、該送信側装置に該第２情報を送信することを含み、ａがサブフレームインデックス番号である。
【００１６】
第１態様の第２種類の実現方式を結合し、第１態様の第７種類の実現方式において、該方法が周波数分割複信（ＦＤＤ）システムに適用される場合、Ｍの値が４であり、Ｎが２以上の正の整数であり、
ここで、該受信側装置は、第１時間単位内で送信側装置より送信された第１情報を受信し、該受信側装置は、第２時間単位内で、該送信側装置に該第１情報に対応する第２情報を送信することは、該受信側装置は、サブフレームａ内の１個目の該第１時間単位内で該第１情報を受信し、該受信側装置は、サブフレームａ＋１内の１個目の該第２時間単位内で、該送信側装置に該第２情報を送信すること、及び／又は、該受信側装置は、サブフレームａ内の２個目の該第１時間単位又は３個目の該第１時間単位内で、該第１情報を受信し、該受信側装置は、サブフレームａ＋１内の２個目の該第２時間単位内で該送信側装置に該第２情報を送信すること、及び／又は、該受信側装置は、サブフレームａ内の４個目の該第１時間単位で該第１情報を受信し、該受信側装置は、サブフレームａ＋２内の１個目の該第２時間単位内で、該端末装置に該第２情報を送信することを含み、ａがサブフレームインデックス番号である。
【００１７】
第１態様の第２種類の実現方式を結合し、第１態様の第８種類の実現方式において、該方法が周波数分割複信（ＦＤＤ）システムに適用される場合、Ｍが６以上の正の整数であり、Ｎが２以上の正の整数であり、
ここで、該受信側装置は、第１時間単位内で送信側装置より送信された第１情報を受信し、該受信側装置は、第２時間単位内で、該送信側装置に該第１情報に対応する第２情報を送信することは、該受信側装置は、サブフレームａ内の先頭からＭ−３個の該第１時間単位のうちのいずれか一つの該第１時間単位内で、該第１情報を受信し、該受信側装置は、サブフレームａ＋１内の１個目の該第２時間単位内で、該送信側装置に該第２情報を送信すること、及び／又は、該受信側装置は、サブフレームａ内の末尾から３個の該第１時間単位のうちのいずれか一つの該第１時間単位内で該第１情報を受信し、該受信側装置は、サブフレームａ＋１内の２個目の該第２時間単位内で該送信側装置に該第２情報を送信することを含み、ａがサブフレームインデックス番号である。
【００１８】
第１態様の第２種類の可能な実現方式を結合し、第１態様の第９種類の可能な実現方式において、該方法が時分割複信（ＴＤＤ）システムに適用される場合、Ｎの値が１であり、Ｍの値が２であり、
ここで、該受信側装置は、第１時間単位内で、送信側装置より送信された第１情報を受信し、該受信側装置は、第２時間単位内で、該送信側装置に該第１情報に対応する第２情報を送信することは、
該方法は、ＴＤＤアップリンク／ダウンリンク構成０に適用され、該受信側装置は、サブフレームａ内の１個目の該第１時間単位内で該第１情報を受信し、該受信側装置はサブフレームａ＋２において、該送信側装置に該第２情報を送信する、ａがサブフレームインデックス番号であり、ａを０及び／又は１及び／又は５及び／又は６とすること、
及び／又は、
該方法は、ＴＤＤアップリンク／ダウンリンク構成０に適用され、該受信側装置は、サブフレームａ内の２個目の該第１時間単位内で該第１情報を受信し、該受信側装置は、サブフレームａ＋３において、該送信側装置に該第２情報を送信し、ａがサブフレームインデックス番号であり、ａを０及び／又は１及び／又は５及び／又は６とすること、
及び／又は、
該方法は、ＴＤＤアップリンク／ダウンリンク構成１に適用され、該受信側装置は、サブフレームａ内の１個目の該第１時間単位内で該第１情報を受信し、該受信側装置は、サブフレームａ＋３において、該送信側装置に該第２情報を送信し、ａがサブフレームインデックス番号であり、ａを４及び／又は９とすること、
及び／又は、
該方法は、ＴＤＤアップリンク／ダウンリンク構成１に適用され、該受信側装置は、サブフレームａ内の２個目の該第１時間単位内で該第１情報を受信し、該受信側装置は、サブフレームａ＋３において、該送信側装置に該第２情報を送信し、ａがサブフレームインデックス番号であり、ａを０及び／又は４及び／又は５及び／又は９とすること、
及び／又は、
該方法は、ＴＤＤアップリンク／ダウンリンク構成１に適用され、該受信側装置は、サブフレームａ内の１個目の該第１時間単位内で該第１情報を受信し、該受信側装置はサブフレームａ＋２において、該送信側装置に該第２情報を送信し、ａがサブフレームインデックス番号であり、ａを０及び／又は１及び／又は５及び／又は６とすること、
及び／又は、
該方法は、ＴＤＤアップリンク／ダウンリンク構成１に適用され、該受信側装置は、サブフレームａ内の２個目の該第１時間単位内で該第１情報を受信し、該受信側装置は、サブフレームａ＋３において、該送信側装置に該第２情報を送信し、ａがサブフレームインデックス番号であり、ａを０及び／又は５とすること、
及び／又は、
該方法は、ＴＤＤアップリンク／ダウンリンク構成１に適用され、該受信側装置は、サブフレームａ内の２個目の該第１時間単位内で該第１情報を受信し、該受信側装置は、サブフレームａ＋６において、該送信側装置に該第２情報を送信し、ａがサブフレームインデックス番号であり、ａを１及び／又は６とすること、
及び／又は、
該方法は、ＴＤＤアップリンク／ダウンリンク構成２に適用され、該受信側装置は、サブフレームａ内の１個目の該第１時間単位内で該第１情報を受信し、該受信側装置はサブフレームａ＋２において、該送信側装置に該第２情報を送信し、ａがサブフレームインデックス番号であり、ａを０及び／又は５とすること、
及び／又は、
該方法は、ＴＤＤアップリンク／ダウンリンク構成２に適用され、該受信側装置は、サブフレームａ内の２個目の該第１時間単位内で該第１情報を受信し、該受信側装置は、サブフレームａ＋７において、該送信側装置に該第２情報を送信し、ａがサブフレームインデックス番号であり、ａを０及び／又は５とすること、
及び／又は、
該方法は、ＴＤＤアップリンク／ダウンリンク構成２に適用され、該受信側装置は、サブフレームａ内の１個目及び／又は２個目の該第１時間単位内で、該第１情報を受信し、該受信側装置は、サブフレームａ＋６において、該送信側装置に該第２情報を送信し、ａがサブフレームインデックス番号であり、ａを１及び／又は６とすること、
及び／又は、
該方法は、ＴＤＤアップリンク／ダウンリンク構成２に適用され、該受信側装置は、サブフレームａ内の１個目及び／又は２個目の該第１時間単位内で、該第１情報を受信し、該受信側装置は、サブフレームａ＋４において、で該送信側装置に該第２情報を送信し、ａがサブフレームインデックス番号であり、ａを３及び／又は８とすること、
及び／又は、
該方法は、ＴＤＤアップリンク／ダウンリンク構成２に適用され、該受信側装置は、サブフレームａ内の１個目及び／又は２個目の該第１時間単位内で、該第１情報を受信し、該受信側装置は、サブフレームａ＋３において、該送信側装置に該第２情報を送信し、ａがサブフレームインデックス番号であり、ａを４及び／又は９とすること、
及び／又は、
該方法は、ＴＤＤアップリンク／ダウンリンク構成３に適用され、該受信側装置は、サブフレームａ内の１個目及び／又は２個目の該第１時間単位内で、該第１情報を受信し、該受信側装置は、サブフレームａ＋７において、該送信側装置に該第２情報を送信し、ａがサブフレームインデックス番号であり、ａを５とすること、
及び／又は、
該方法は、ＴＤＤアップリンク／ダウンリンク構成３に適用され、該受信側装置は、サブフレームａ内の１個目及び／又は２個目の該第１時間単位内で、該第１情報を受信し、該受信側装置は、サブフレームａ＋６において、該送信側装置に該第２情報を送信し、ａがサブフレームインデックス番号であり、ａを６とすること、
及び／又は、
該方法は、ＴＤＤアップリンク／ダウンリンク構成３に適用され、該受信側装置は、サブフレームａ内の１個目及び／又は２個目の該第１時間単位内で、該第１情報を受信し、該受信側装置は、サブフレームａ＋５において、該送信側装置に該第２情報を送信し、ａがサブフレームインデックス番号であり、ａを７とすること、
及び／又は、
該方法は、ＴＤＤアップリンク／ダウンリンク構成３に適用され、該受信側装置は、サブフレームａ内の１個目及び／又は２個目の該第１時間単位内で、該第１情報を受信し、該受信側装置は、サブフレームａ＋４において、で該送信側装置に該第２情報を送信し、ａがサブフレームインデックス番号であり、ａを８とすること、
及び／又は、
該方法は、ＴＤＤアップリンク／ダウンリンク構成３に適用され、該受信側装置は、サブフレームａ内の１個目及び／又は２個目の該第１時間単位内で、該第１情報を受信し、該受信側装置は、サブフレームａ＋３において、該送信側装置に該第２情報を送信し、ａがサブフレームインデックス番号であり、ａを９とすること、
及び／又は、
該方法は、ＴＤＤアップリンク／ダウンリンク構成３に適用され、該受信側装置は、サブフレームａ内の１個目の該第１時間単位内で該第１情報を受信し、該受信側装置はサブフレームａ＋２において、該送信側装置に該第２情報を送信し、ａがサブフレームインデックス番号であり、ａを０及び／又は１とすること、
及び／又は、
該方法は、ＴＤＤアップリンク／ダウンリンク構成３に適用され、該受信側装置は、サブフレームａ内の２個目の該第１時間単位内で該第１情報を受信し、該受信側装置は、サブフレームａ＋３において、該送信側装置に該第２情報を送信し、ａがサブフレームインデックス番号であり、ａを０及び／又は１とすること、
及び／又は、
該方法は、ＴＤＤアップリンク／ダウンリンク構成４に適用され、該受信側装置は、サブフレームａ内の２個目の該第１時間単位内で該第１情報を受信し、該受信側装置は、サブフレームａ＋１１において、該送信側装置に該第２情報を送信し、ａがサブフレームインデックス番号であり、ａを１とすること
及び／又は、
該方法は、ＴＤＤアップリンク／ダウンリンク構成４に適用され、該受信側装置は、サブフレームａ内の第１及び／又は２個目の該第１時間単位内で、該第１情報を受信し、該受信側装置は、サブフレームａ＋８において、該送信側装置に該第２情報を送信し、ａがサブフレームインデックス番号であり、ａを４とすること、
及び／又は、
該方法は、ＴＤＤアップリンク／ダウンリンク構成４に適用され、該受信側装置は、サブフレームａ内の１個目及び／又は２個目の該第１時間単位内で、該第１情報を受信し、該受信側装置は、サブフレームａ＋７において、該送信側装置に該第２情報を送信し、ａがサブフレームインデックス番号であり、ａを５とすること、
及び／又は、
該方法は、ＴＤＤアップリンク／ダウンリンク構成４に適用され、該受信側装置は、サブフレームａ内の１個目及び／又は２個目の該第１時間単位内で、該第１情報を受信し、該受信側装置は、サブフレームａ＋６において、該送信側装置に該第２情報を送信し、ａがサブフレームインデックス番号であり、ａを６とすること、
及び／又は、
該方法は、ＴＤＤアップリンク／ダウンリンク構成４に適用され、該受信側装置は、サブフレームａ内の１個目及び／又は２個目の該第１時間単位内で、該第１情報を受信し、該受信側装置は、サブフレームａ＋５において、該送信側装置に該第２情報を送信し、ａがサブフレームインデックス番号であり、ａを７とすること、
及び／又は、
該方法は、ＴＤＤアップリンク／ダウンリンク構成４に適用され、該受信側装置は、サブフレームａ内の１個目及び／又は２個目の該第１時間単位内で、該第１情報を受信し、該受信側装置は、サブフレームａ＋４において、で該送信側装置に該第２情報を送信し、ａがサブフレームインデックス番号であり、ａを８とすること、
及び／又は、
該方法は、ＴＤＤアップリンク／ダウンリンク構成４に適用され、該受信側装置は、サブフレームａ内の１個目及び／又は２個目の該第１時間単位内で、該第１情報を受信し、該受信側装置は、サブフレームａ＋３において、該送信側装置に該第２情報を送信し、ａがサブフレームインデックス番号であり、ａを９とすること、
及び／又は、
該方法は、ＴＤＤアップリンク／ダウンリンク構成４に適用され、該受信側装置は、サブフレームａ内の１個目の該第１時間単位内で該第１情報を受信し、該受信側装置はサブフレームａ＋２において、該送信側装置に該第２情報を送信し、ａがサブフレームインデックス番号であり、ａを０及び／又は１とすること、
及び／又は、
該方法は、ＴＤＤアップリンク／ダウンリンク構成５に適用され、該受信側装置は、サブフレームａ内の２個目の該第１時間単位内で該第１情報を受信し、該受信側装置は、サブフレームａ＋１２において、該送信側装置に該第２情報を送信し、ａがサブフレームインデックス番号であり、ａを０とすること、
及び／又は、
該方法は、ＴＤＤアップリンク／ダウンリンク構成５に適用され、該受信側装置は、サブフレームａ内の第１及び／又は２個目の該第１時間単位内で、該第１情報を受信し、該受信側装置は、サブフレームａ＋１１において、該送信側装置に該第２情報を送信し、ａがサブフレームインデックス番号であり、ａを１とすること、
及び／又は、
該方法は、ＴＤＤアップリンク／ダウンリンク構成５に適用され、該受信側装置は、サブフレームａ内の第１及び／又は２個目の該第１時間単位内で、該第１情報を受信し、該受信側装置は、サブフレームａ＋９において、該送信側装置に該第２情報を送信し、ａがサブフレームインデックス番号であり、ａを３とすること、
及び／又は、
該方法は、ＴＤＤアップリンク／ダウンリンク構成５に適用され、該受信側装置は、サブフレームａ内の第１及び／又は２個目の該第１時間単位内で、該第１情報を受信し、該受信側装置は、サブフレームａ＋８において、該送信側装置に該第２情報を送信し、ａがサブフレームインデックス番号であり、ａを４とすること、
及び／又は、
該方法は、ＴＤＤアップリンク／ダウンリンク構成５に適用され、該受信側装置は、サブフレームａ内の１個目及び／又は２個目の該第１時間単位内で、該第１情報を受信し、該受信側装置は、サブフレームａ＋７において、該送信側装置に該第２情報を送信し、ａがサブフレームインデックス番号であり、ａを５とすること、
及び／又は、
該方法は、ＴＤＤアップリンク／ダウンリンク構成５に適用され、該受信側装置は、サブフレームａ内の１個目及び／又は２個目の該第１時間単位内で、該第１情報を受信し、該受信側装置は、サブフレームａ＋６において、該送信側装置に該第２情報を送信し、ａがサブフレームインデックス番号であり、ａを６とすること、
及び／又は、
該方法は、ＴＤＤアップリンク／ダウンリンク構成５に適用され、該受信側装置は、サブフレームａ内の１個目及び／又は２個目の該第１時間単位内で、該第１情報を受信し、該受信側装置は、サブフレームａ＋５において、該送信側装置に該第２情報を送信し、ａがサブフレームインデックス番号であり、ａを７とすること、
及び／又は、
該方法は、ＴＤＤアップリンク／ダウンリンク構成５に適用され、該受信側装置は、サブフレームａ内の１個目及び／又は２個目の該第１時間単位内で、該第１情報を受信し、該受信側装置は、サブフレームａ＋４において、で該送信側装置に該第２情報を送信し、ａがサブフレームインデックス番号であり、ａを８とすること、
及び／又は、
該方法は、ＴＤＤアップリンク／ダウンリンク構成５に適用され、該受信側装置は、サブフレームａ内の１個目及び／又は２個目の該第１時間単位内で、該第１情報を受信し、該受信側装置は、サブフレームａ＋３において、該送信側装置に該第２情報を送信し、ａがサブフレームインデックス番号であり、ａを９とすること、
及び／又は、
該方法は、ＴＤＤアップリンク／ダウンリンク構成５に適用され、該受信側装置は、サブフレームａ内の１個目の該第１時間単位内で該第１情報を受信し、該受信側装置はサブフレームａ＋２において、該送信側装置に該第２情報を送信し、ａがサブフレームインデックス番号であり、ａを０とすること、
及び／又は、
該方法は、ＴＤＤアップリンク／ダウンリンク構成６に適用され、該受信側装置は、サブフレームａ内の１個目の該第１時間単位内で該第１情報を受信し、該受信側装置はサブフレームａ＋２において、該送信側装置に該第２情報を送信し、ａがサブフレームインデックス番号であり、ａを０及び／又は１及び／又は５及び／又は６とすること、
及び／又は、
該方法は、ＴＤＤアップリンク／ダウンリンク構成６に適用され、該受信側装置は、サブフレームａ内の２個目の該第１時間単位内で該第１情報を受信し、該受信側装置は、サブフレームａ＋３において、該送信側装置に該第２情報を送信し、ａがサブフレームインデックス番号であり、ａを０及び／又は１とする及び／又は５とすること、
及び／又は、
該方法は、ＴＤＤアップリンク／ダウンリンク構成６に適用され、該受信側装置は、サブフレームａ内の２個目の該第１時間単位内で該第１情報を受信し、該受信側装置は、サブフレームａ＋６において、該送信側装置に該第２情報を送信し、ａがサブフレームインデックス番号であり、ａを６とすること、
及び／又は、
該方法は、ＴＤＤアップリンク／ダウンリンク構成６に適用され、該受信側装置は、サブフレームａ内の１個目及び／又は２個目の該第１時間単位内で、該第１情報を受信し、該受信側装置は、サブフレームａ＋３において、該送信側装置に該第２情報を送信し、ａがサブフレームインデックス番号であり、ａを９とすること、
を含む。
【００１９】
第１態様及びその上記の実現方式を結合し、第１態様の第１０種類の実現方式において、該受信側装置は、第１時間単位内で、送信側装置より送信された第１情報を受信することは、該受信側装置は、該第１時間単位内で、該送信側装置により物理ダウンリンク共有チャネル（ＰＤＳＣＨ）において送信されたダウンリンクデータを受信することを含み、  ここで、該受信側装置は、第２時間単位内で、該送信側装置に該第１情報に対応する第２情報を送信することは、該受信側装置は、該第２時間単位内で該送信側装置にフィードバック情報を送信することを含み、該フィードバック情報は、該受信側装置が該ダウンリンクデータを成功に受信したか否かを示すために用いられる。
【００２０】
第１態様及びその上記の実現方式を結合し、第１態様の第１１種類の実現方式において、該受信側装置は、第１時間単位内で、送信側装置より送信された第１情報を受信することは、該受信側装置は、該第１時間単位内で、該送信側装置により送信されたダウンリンク制御シグナリングを受信することを含み、該ダウンリンク制御シグナリングが、該受信側装置におけるアップリンクデータの伝送をスケジューリングするように用いられ、
ここで、該受信側装置は、第２時間単位内で、該送信側装置に該第１情報に対応する第２情報を送信することは、該受信側装置は、該第２時間単位内で、物理アップリンク共有チャネル（ＰＵＳＣＨ）において、該送信側装置にアップリンクデータを送信することを含む。
【００２１】
第２態様において、情報伝送の方法を提供し、送信側装置は、第１時間単位内で受信側装置に第１情報を送信し、該送信側装置は、第２時間単位内で、該受信側装置より送信された該第１情報に対応する第２情報を受信することを含み、ここで、該第１時間単位の時間の長さが、該第２時間単位の時間の長さと異なることを特徴とする。
【００２２】
第２態様を結合し、第２態様の第１種類の実現方式において、該第２時間単位は、該第１時間単位の開始時刻からターゲット時間の長さを経過してからの１個目の該第２時間単位であり、ここで、該ターゲット時間の長さは、該第１時間単位の時間の長さの整数倍である。
【００２３】
第２態様又は上記の実現方式を結合し、第２態様の第２種類の実現方式において、一つのサブフレーム内にＭ個の該第１時間単位が含まれ、該Ｍ個の該第１時間単位中のｉ個目の該第１時間単位の終了時刻は、ｉ＋１個目の該第１時間単位の開始時刻の前であり、又は、ｉ個目の該第１時間単位の終了時刻は、ｉ＋１個目の該第１時間単位の開始時刻であり、ここで、Ｍが１以上の正の整数であり、Ｍの値が１である場合、ｉを０とし、Ｍが１より大きい正の整数である場合、ｉを１以上、且つＭ−１以下の正の整数とし、
一つのサブフレームはＮ個の該第２時間単位を含み、該Ｎ個の該第２時間単位内のｋ個目の該第２時間単位の終了時刻は、ｋ＋１個目の該第２時間単位の開始時刻の前であり、又は、該Ｎ個の該第２時間単位内のｋ個目の該第２時間単位の終了時刻は、ｋ＋１個目の該第２時間単位の開始時刻であり、ここで、Ｎが１以上の正の整数であり、Ｎの値が１である場合、ｋを０とし、Ｎが１より大きい正の整数である場合、ｋを１以上、且つＮ−１以下の正の整数とする。
【００２４】
第２態様の第２種類の実現方式を結合し、第２態様の第３種類の実現方式において、該方法が周波数分割複信（ＦＤＤ）システムに適用される場合、Ｎの値が１であり、Ｍの値が２であり、
ここで、該送信側装置は、第１時間単位内で受信側装置に第１情報を送信し、該送信側装置は、第２時間単位内で、該受信側装置より送信された該第１情報に対応する第２情報を受信することは、
該送信側装置は、サブフレームａ内の１個目の該第１時間単位内で該第１情報を送信し、該送信側装置は、サブフレームａ＋２において、該第２情報を受信すること、及び／又は、送信側装置は、サブフレームａ内の２個目の該第１時間単位内で、該第１情報を送信し、該送信側装置は、サブフレームａ＋３において、該第２情報を受信すること、を含み、ａがサブフレームインデックス番号である。
【００２５】
第２態様の第２種類の実現方式を結合し、第２態様の第４種類の実現方式において、該方法が周波数分割複信（ＦＤＤ）システムに適用される場合、Ｎの値が１であり、Ｍが３以上の正の整数であり、
ここで、該送信側装置は、第１時間単位内で送信側装置に第１情報を送信し、該送信側装置は、第２時間単位内で該受信側装置より送信された該第１情報に対応する第２情報を受信することは、該送信側装置は、サブフレームａ内の先頭からＭ−３個の該第１時間単位のうちのいずれか一つの該第１時間単位内で、該第１情報を送信し、該送信側装置は、サブフレームａ＋１において、該第２情報を受信すること、及び／又は、該送信側装置は、サブフレームａ内の末尾から３個の該第１時間単位のうちのいずれか一つの該第１時間単位内で、該第１情報を送信し、該送信側装置は、サブフレームａ＋２において、該第２情報を受信することを含み、ａがサブフレームインデックス番号である。
【００２６】
第２態様の第２種類の実現方式を結合し、第２態様の第５種類の実現方式において、該方法が周波数分割複信（ＦＤＤ）システムに適用される場合、Ｍの値が１であり、Ｎが２以上の正の整数であり、
ここで、該送信側装置は、第１時間単位内で受信側装置に第１情報を送信し、該送信側装置は、第２時間単位内で、該受信側装置より送信された該第１情報に対応する第２情報を受信することは、該送信側装置は、サブフレームａにおいて、該第１情報を送信し、該送信側装置は、サブフレームａ＋４内の１個目の該第２時間単位内で、該第２情報を受信することを含み、ａがサブフレームインデックス番号である。
【００２７】
第２態様の第２種類の実現方式を結合し、第２態様の第６種類の実現方式において、該方法が周波数分割複信（ＦＤＤ）システムに適用される場合、Ｍの値が３であり、Ｎが２以上の正の整数であり、
ここで、該送信側装置は、第１時間単位内で受信側装置に第１情報を送信し、該送信側装置は、第２時間単位内で、該受信側装置より送信された該第１情報に対応する第２情報を受信することは、該送信側装置は、サブフレームａ内の１個目の該第１時間単位内で該第１情報を送信し、該送信側装置は、サブフレームａ＋１内の２個目の該第２時間単位内で、該第２情報を受信すること、及び／又は、該送信側装置は、サブフレームａ内の２個目の該第１時間単位内又は３個目の該第１時間単位内で、該第１情報を送信し、該送信側装置は、サブフレームａ＋２内の１個目の該第２時間単位内で、該第２情報を受信することを含み、ａがサブフレームインデックス番号である。
【００２８】
第２態様の第２種類の実現方式を結合し、第２態様の第７種類の実現方式において、該方法が周波数分割複信（ＦＤＤ）システムに適用される場合、Ｍの値が４であり、Ｎが２以上の正の整数であり、
ここで、該送信側装置は、第１時間単位内で受信側装置に第１情報を送信し、該送信側装置は、第２時間単位内で、該受信側装置より送信された該第１情報に対応する第２情報を受信することは、
該送信側装置は、サブフレームａ内の１個目の該第１時間単位内で該第１情報を送信し、該送信側装置は、サブフレームａ＋１内の１個目の該第２時間単位内で、該第２情報を受信すること、及び／又は、該送信側装置は、サブフレームａ内の２個目の該第１時間単位又は３個目の該第１時間単位内で、該第１情報を送信し、該送信側装置は、サブフレームａ＋１内の２個目の該第２時間単位内で、該第２情報を受信すること、及び／又は、該送信側装置は、サブフレームａ内の４個目の該第１時間単位で該第１情報を送信し、該送信側装置は、サブフレームａ＋２内の１個目の該第２時間単位内で、該第２情報を受信することを含み、ａがサブフレームインデックス番号である。
【００２９】
第２態様の第２種類の実現方式を結合し、第２態様の第８種類の実現方式において、該方法が周波数分割複信（ＦＤＤ）システムに適用される場合、Ｍが６以上の正の整数であり、Ｎが２以上の正の整数であり、
ここで、該送信側装置は、第１時間単位内で受信側装置に第１情報を送信し、該送信側装置は、第２時間単位内で、該受信側装置より送信された該第１情報に対応する第２情報を受信することは、該送信側装置は、サブフレームａ内の先頭からＭ−３個の該第１時間単位のうちのいずれか一つの該第１時間単位内で、該第１情報を送信し、該送信側装置は、サブフレームａ＋１内の１個目の該第２時間単位内で、該第２情報を受信すること、及び／又は、該送信側装置は、サブフレームａ内の末尾から３個の該第１時間単位のうちのいずれか一つの該第１時間単位内で、該第１情報を送信し、該送信側装置は、サブフレームａ＋１内の２個目の該第２時間単位内で、該第２情報を受信することを含み、ａがサブフレームインデックス番号である。
【００３０】
第２態様の第２種類の可能な実現方式を結合し、第２態様の第９種類の可能な実現方式において、該方法が時分割複信（ＴＤＤ）システムに適用される場合、Ｎの値が１であり、Ｍの値が２であり、
ここで、該送信側装置は、第１時間単位内で受信側装置に第１情報を送信し、該送信側装置は、第２時間単位内で、該受信側装置より送信された該第１情報に対応する第２情報を受信することは、
該方法は、ＴＤＤアップリンク／ダウンリンク構成０に適用され、該送信側装置は、サブフレームａの１個目の該第１時間単位内で該第１情報を送信し、該送信側装置は、サブフレームａ＋２において、該第２情報を受信し、ａがサブフレームインデックス番号であり、ａを０及び／又は１及び／又は５及び／又は６とすること、
及び／又は、
該方法は、ＴＤＤアップリンク／ダウンリンク構成０に適用され、該送信側装置は、サブフレームａ内の２個目の該第１時間単位内で、該第１情報を送信し、該送信側装置は、サブフレームａ＋３において、該第２情報を受信し、ａがサブフレームインデックス番号であり、ａを０及び／又は１及び／又は５及び／又は６とすること、
及び／又は、
該方法は、ＴＤＤアップリンク／ダウンリンク構成１に適用され、該送信側装置は、サブフレームａ内の１個目の該第１時間単位内で該第１情報を送信し、該送信側装置は、サブフレームａ＋３において、該第２情報を受信し、ａがサブフレームインデックス番号であり、ａを４及び／又は９とすること、
及び／又は、
該方法は、ＴＤＤアップリンク／ダウンリンク構成１に適用され、該送信側装置は、サブフレームａ内の２個目の該第１時間単位内で、該第１情報を送信し、該送信側装置は、サブフレームａ＋３において、該第２情報を受信し、ａがサブフレームインデックス番号であり、ａを０及び／又は４及び／又は５及び／又は９とすること、
及び／又は、
該方法は、ＴＤＤアップリンク／ダウンリンク構成１に適用され、該送信側装置は、サブフレームａ内の１個目の該第１時間単位内で該第１情報を送信し、該送信側装置は、サブフレームａ＋２において、該第２情報を受信し、ａがサブフレームインデックス番号であり、ａを０及び／又は１及び／又は５及び／又は６とすること、
及び／又は、
該方法は、ＴＤＤアップリンク／ダウンリンク構成１に適用され、該送信側装置は、サブフレームａ内の２個目の該第１時間単位内で、該第１情報を送信し、該送信側装置は、サブフレームａ＋３において、該第２情報を受信し、ａがサブフレームインデックス番号であり、ａを０及び／又は５とすること、
及び／又は、
該方法は、ＴＤＤアップリンク／ダウンリンク構成１に適用され、該送信側装置は、サブフレームａ内の２個目の該第１時間単位内で該第１情報を送信し、該送信側装置は、サブフレームａ＋６において、該第２情報を受信し、ａがサブフレームインデックス番号であり、ａを１及び／又は６とすること、
及び／又は、
該方法は、ＴＤＤアップリンク／ダウンリンク構成２に適用され、該送信側装置は、サブフレームａ内の１個目の該第１時間単位内で該第１情報を送信し、該送信側装置は、サブフレームａ＋２において、該第２情報を受信し、ａがサブフレームインデックス番号であり、ａを０及び／又は５とすること、
及び／又は、
該方法は、ＴＤＤアップリンク／ダウンリンク構成２に適用され、該送信側装置は、サブフレームａ内の１個目及び／又は２個目の該第１時間単位内で、該第１情報を送信し、該送信側装置は、サブフレームａ＋６において、該第２情報を受信し、ａがサブフレームインデックス番号であり、ａを１及び／又は６とすること、
及び／又は、
該方法は、ＴＤＤアップリンク／ダウンリンク構成２に適用され、該送信側装置は、サブフレームａ内の１個目及び／又は２個目の該第１時間単位内で、該第１情報を送信し、該受信側装置は、サブフレームａ＋４において、で該第２情報を受信し、ａがサブフレームインデックス番号であり、ａを３及び／又は８とすること、
及び／又は、
該方法は、ＴＤＤアップリンク／ダウンリンク構成２に適用され、該送信側装置は、サブフレームａ内の１個目及び／又は２個目の該第１時間単位内で、該第１情報を送信し、該送信側装置は、サブフレームａ＋３において、該第２情報を受信し、ａがサブフレームインデックス番号であり、ａを４及び／又は９とすること、
及び／又は、
該方法は、ＴＤＤアップリンク／ダウンリンク構成３に適用され、該送信側装置は、サブフレームａ内の１個目及び／又は２個目の該第１時間単位内で、該第１情報を送信し、該送信側装置は、サブフレームａ＋７において、該第２情報を受信し、ａがサブフレームインデックス番号であり、ａを５とすること、
及び／又は、
該方法は、ＴＤＤアップリンク／ダウンリンク構成３に適用され、該送信側装置は、サブフレームａ内の１個目及び／又は２個目の該第１時間単位内で、該第１情報を送信し、該受信側装置は、サブフレームａ＋６において、該第２情報を受信し、ａがサブフレームインデックス番号であり、ａを６とすること、
及び／又は、
該方法は、ＴＤＤアップリンク／ダウンリンク構成３に適用され、該送信側装置は、サブフレームａ内の１個目及び／又は２個目の該第１時間単位内で、該第１情報を送信し、該送信側装置は、サブフレームａ＋５において、該第２情報を受信し、ａがサブフレームインデックス番号であり、ａを７とすること、
及び／又は、
該方法は、ＴＤＤアップリンク／ダウンリンク構成３に適用され、該送信側装置は、サブフレームａ内の１個目及び／又は２個目の該第１時間単位内で、該第１情報を送信し、該送信側装置は、サブフレームａ＋４において、で該第２情報を受信し、ａがサブフレームインデックス番号であり、ａを８とすること、
及び／又は、
該方法は、ＴＤＤアップリンク／ダウンリンク構成３に適用され、該送信側装置は、サブフレームａ内の１個目及び／又は２個目の該第１時間単位内で、該第１情報を送信し、該送信側装置は、サブフレームａ＋３において、該第２情報を受信し、ａがサブフレームインデックス番号であり、ａを９とすること、
及び／又は、
該方法は、ＴＤＤアップリンク／ダウンリンク構成３に適用され、該送信側装置は、サブフレームａ内の１個目の該第１時間単位内で該第１情報を送信し、該送信側装置は、サブフレームａ＋２において、該第２情報を受信し、ａがサブフレームインデックス番号であり、ａを０及び／又は１とすること、
及び／又は、
該方法は、ＴＤＤアップリンク／ダウンリンク構成３に適用され、該送信側装置は、サブフレームａ内の２個目の該第１時間単位内で、該第１情報を送信し、該送信側装置は、サブフレームａ＋３において、該第２情報を受信し、ａがサブフレームインデックス番号であり、ａを０及び／又は１とすること、
及び／又は、
該方法は、ＴＤＤアップリンク／ダウンリンク構成４に適用され、該送信側装置は、サブフレームａ内の２個目の該第１時間単位内で、該第１情報を送信し、該送信側装置は、サブフレームａ＋１１において、該第２情報を受信し、ａがサブフレームインデックス番号であり、ａを１とすること、
及び／又は、
該方法は、ＴＤＤアップリンク／ダウンリンク構成４に適用され、該送信側装置は、サブフレームａ内の第１及び／又は２個目の該第１時間単位内で、該第１情報を送信し、該送信側装置は、サブフレームａ＋８において、該第２情報を受信し、ａがサブフレームインデックス番号であり、ａを４とすること、
及び／又は、
該方法は、ＴＤＤアップリンク／ダウンリンク構成４に適用され、該送信側装置は、サブフレームａ内の１個目及び／又は２個目の該第１時間単位内で、該第１情報を送信し、該送信側装置は、サブフレームａ＋７において、該第２情報を受信し、ａがサブフレームインデックス番号であり、ａを５とすること、
及び／又は、
該方法は、ＴＤＤアップリンク／ダウンリンク構成４に適用され、該送信側装置は、サブフレームａ内の１個目及び／又は２個目の該第１時間単位内で、該第１情報を送信し、該送信側装置は、サブフレームａ＋６において、該第２情報を受信し、ａがサブフレームインデックス番号であり、ａを６とすること、
及び／又は、
該方法は、ＴＤＤアップリンク／ダウンリンク構成４に適用され、該送信側装置は、サブフレームａ内の１個目及び／又は２個目の該第１時間単位内で、該第１情報を送信し、該送信側装置は、サブフレームａ＋５において、該第２情報を受信し、ａがサブフレームインデックス番号であり、ａを７とすること、
及び／又は、
該方法は、ＴＤＤアップリンク／ダウンリンク構成４に適用され、該送信側装置は、サブフレームａ内の１個目及び／又は２個目の該第１時間単位内で、該第１情報を送信し、該送信側装置は、サブフレームａ＋４において、該第２情報を受信し、ａがサブフレームインデックス番号であり、ａを８とすること、
及び／又は、
該方法は、ＴＤＤアップリンク／ダウンリンク構成４に適用され、該送信側装置は、サブフレームａ内の１個目及び／又は２個目の該第１時間単位内で、該第１情報を送信し、該送信側装置は、サブフレームａ＋３において、該第２情報を受信し、ａがサブフレームインデックス番号であり、ａを９とすること、
及び／又は、
該方法は、ＴＤＤアップリンク／ダウンリンク構成４に適用され、該送信側装置は、サブフレームａ内の１個目の該第１時間単位内で該第１情報を送信し、該送信側装置は、サブフレームａ＋２において、該第２情報を受信し、ａがサブフレームインデックス番号であり、ａを０及び／又は１とすること、
及び／又は、
該方法は、ＴＤＤアップリンク／ダウンリンク構成５に適用され、該送信側装置は、サブフレームａ内の２個目の該第１時間単位内で、該第１情報を送信し、該送信側装置は、サブフレームａ＋１２において、該第２情報を受信し、ａがサブフレームインデックス番号であり、ａを０とすること、
及び／又は、
該方法は、ＴＤＤアップリンク／ダウンリンク構成５に適用され、該送信側装置は、サブフレームａ内の第１及び／又は２個目の該第１時間単位内で、該第１情報を送信し、該送信側装置は、サブフレームａ＋１１において、該第２情報を受信し、ａがサブフレームインデックス番号であり、ａを１とすること、
及び／又は、
該方法は、ＴＤＤアップリンク／ダウンリンク構成５に適用され、該送信側装置は、サブフレームａ内の第１及び／又は２個目の該第１時間単位内で、該第１情報を送信し、該送信側装置は、サブフレームａ＋９において、該第２情報を受信し、ａがサブフレームインデックス番号であり、ａを３とすること、
及び／又は、
該方法は、ＴＤＤアップリンク／ダウンリンク構成５に適用され、該送信側装置は、サブフレームａ内の第１及び／又は２個目の該第１時間単位内で、該第１情報を送信し、該送信側装置は、サブフレームａ＋８において、該第２情報を受信し、ａがサブフレームインデックス番号であり、ａを４とすること、
及び／又は、
該方法は、ＴＤＤアップリンク／ダウンリンク構成５に適用され、該送信側装置は、サブフレームａ内の１個目及び／又は２個目の該第１時間単位内で、該第１情報を送信し、該送信側装置は、サブフレームａ＋７において、該第２情報を受信し、ａがサブフレームインデックス番号であり、ａを５とすること、
及び／又は、
該方法は、ＴＤＤアップリンク／ダウンリンク構成５に適用され、該送信側装置は、サブフレームａ内の１個目及び／又は２個目の該第１時間単位内で、該第１情報を送信し、該送信側装置は、サブフレームａ＋６において、該第２情報を受信し、ａがサブフレームインデックス番号であり、ａを６とすること、
及び／又は、
該方法は、ＴＤＤアップリンク／ダウンリンク構成５に適用され、該送信側装置は、サブフレームａ内の１個目及び／又は２個目の該第１時間単位内で、該第１情報を送信し、該送信側装置は、サブフレームａ＋５において、該第２情報を受信し、ａがサブフレームインデックス番号であり、ａを７とすること、
及び／又は、
該方法は、ＴＤＤアップリンク／ダウンリンク構成５に適用され、該送信側装置は、サブフレームａ内の１個目及び／又は２個目の該第１時間単位内で、該第１情報を送信し、該送信側装置は、サブフレームａ＋４において、で該第２情報を受信し、ａがサブフレームインデックス番号であり、ａを８とすること、
及び／又は、
該方法は、ＴＤＤアップリンク／ダウンリンク構成５に適用され、該送信側装置は、サブフレームａ内の１個目及び／又は２個目の該第１時間単位内で、該第１情報を送信し、該送信側装置は、サブフレームａ＋３において、該第２情報を受信し、ａがサブフレームインデックス番号であり、ａを９とすること、
及び／又は、
該方法は、ＴＤＤアップリンク／ダウンリンク構成５に適用され、該送信側装置は、サブフレームａ内の１個目の該第１時間単位内で該第１情報を送信し、該送信側装置は、サブフレームａ＋２において、該第２情報を受信し、ａがサブフレームインデックス番号であり、ａを０とすること、
及び／又は、
該方法は、ＴＤＤアップリンク／ダウンリンク構成６に適用され、該送信側装置は、サブフレームａ内の１個目の該第１時間単位内で該第１情報を送信し、該送信側装置は、サブフレームａ＋２において、該第２情報を受信し、ａがサブフレームインデックス番号であり、ａを０及び／又は１及び／又は５及び／又は６とすること、
及び／又は、
該方法は、ＴＤＤアップリンク／ダウンリンク構成６に適用され、該送信側装置は、サブフレームａ内の２個目の該第１時間単位内で、該第１情報を送信し、該送信側装置は、サブフレームａ＋３において、該第２情報を受信し、ａがサブフレームインデックス番号であり、ａを０及び／又は１とする及び／又は５とすること、
及び／又は、
該方法は、ＴＤＤアップリンク／ダウンリンク構成６に適用され、該送信側装置は、サブフレームａ内の２個目の該第１時間単位内で、該第１情報を送信し、該送信側装置は、サブフレームａ＋６において、該第２情報を受信し、ａがサブフレームインデックス番号であり、ａを６とすること、
及び／又は、
該方法は、ＴＤＤアップリンク／ダウンリンク構成６に適用され、該送信側装置は、サブフレームａ内の１個目及び／又は２個目の該第１時間単位内で、該第１情報を送信し、該送信側装置は、サブフレームａ＋３において、該第２情報を受信し、ａがサブフレームインデックス番号であり、ａを９とすること、
を含む。
【００３１】
第２態様及び上記の実現方式を結合し、第２態様の第１０種類の実現方式において、該送信側装置は、第１時間単位内で受信側装置に第１情報を送信することは、該送信側装置は、該第１時間単位内で、物理ダウンリンク共有チャネル（ＰＤＳＣＨ）において、該受信側装置にダウンリンクデータを送信することを含み、
ここで、該送信側装置は、第２時間単位内で、該受信側装置より送信された該第１情報に対応する第２情報を受信することは、該送信側装置は、該第２時間単位内で、該受信側装置より送信されたフィードバック情報を受信することを含み、該フィードバック情報は、該受信側装置が該ダウンリンクデータを成功に受信したか否かを示すために用いられる。
【００３２】
第２態様及び上記の実現方式を結合し、第２態様の第１１種類の実現方式において、該送信側装置は、第１時間単位内で受信側装置に第１情報を送信することは、該送信側装置は、該第１時間単位内で、該受信側装置にダウンリンク制御シグナリングを送信することを含み、該ダウンリンク制御シグナリングが、該受信側装置におけるアップリンクデータの伝送をスケジューリングするように用いられ、
ここで、該送信側装置は、第２時間単位内で、該受信側装置より送信された該第１情報に対応する第２情報を受信することは、該送信側装置は、該第２時間単位内で、物理アップリンク共有チャネル（ＰＵＳＣＨ）において、該受信側装置より送信されたアップリンクデータを受信することを含む。
【００３３】
第３態様において、受信側装置を提供し、上記の第１態様又は第１態様のいずれかの可能な実現方式における方法を実施するように用いられる。具体的に、該受信側装置は、上記の第１態様又は第１態様のいずれかの可能な実現方式における方法のユニットを実施するように用いられる。
【００３４】
第４態様において、送信側装置を提供し、上記の第２態様又は第２態様のいずれかの可能な実現方式における方法を実施するように用いられる。具体的に、該送信側装置は、上記の第２態様又は第２態様のいずれかの可能な実現方式における方法のユニットを実施するように用いられる。
【００３５】
第５態様において、コンピュータでの読取り可能な媒体を提供し、第１態様又は第１態様のいずれかの可能な実現方式における方法の命令を実行するように用いられるコンピュータプログラムを記憶するように用いられる。
【００３６】
第６態様において、コンピュータでの読取り可能な媒体を提供し、第２態様又は第２態様のいずれかの可能な実現方式における方法の命令を実行するように用いられるコンピュータプログラムを記憶するように用いられる。
【図面の簡単な説明】
【００３７】
【図１】本発明の実施例における情報伝送の方法を示すフローチャートである。
【図２】本発明の実施例における情報伝送のタイムシーケンスを示す図である。
【図３】本発明の別の一つの実施例によるＦＤＤシステムにおける情報伝送のタイムシーケンスを示す図である。
【図４】本発明のもう一つの実施例によるＦＤＤシステムにおける情報伝送のタイムシーケンスを示す図である。
【図５】本発明のもう一つの実施例によるＦＤＤシステムにおける情報伝送のタイムシーケンスを示す図である。
【図６】本発明のもう一つの実施例によるＦＤＤシステムにおける情報伝送のタイムシーケンスを示す図である。
【図７】本発明のもう一つの実施例によるＦＤＤシステムにおける情報伝送のタイムシーケンスを示す図である。
【図８】本発明のもう一つの実施例によるＦＤＤシステムにおける情報伝送のタイムシーケンスを示す図である。
【図９】本発明のもう一つの実施例によるＦＤＤシステムにおける情報伝送のタイムシーケンスを示す図である。
【図１０】本発明の実施例によるＴＤＤシステムにおける情報伝送のタイムシーケンスを示す図である。
【図１１】本発明の別の一つの実施例によるＴＤＤシステムにおける情報伝送のタイムシーケンスを示す図である。
【図１３】本発明のもう一つの実施例によるＴＤＤシステムにおける情報伝送のタイムシーケンスを示す図である。
【図１４】本発明のもう一つの実施例によるＴＤＤシステムにおける情報伝送のタイムシーケンスを示す図である。
【図１５】本発明のもう一つの実施例によるＴＤＤシステムにおける情報伝送のタイムシーケンスを示す図である。
【図１６】本発明のもう一つの実施例によるＴＤＤシステムにおける情報伝送のタイムシーケンスを示す図である。
【図１７】本発明の実施例における受信側装置を示すブロック図である。
【図１８】本発明の別の一つの実施例における受信側装置を示すブロック図である。
【図１９】本発明の実施例における送信側装置を示すブロック図である。
【図２０】本発明の別の一つの実施例における送信側装置を示すブロック図である。
【発明を実施するための形態】
【００３８】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００３９】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は、創造的な労力を払わずに得られた全てのその他の実施例は、本発明の範囲内である。
【００４０】
図１に、本発明の実施例により提供されている情報伝送の方法１００を示すフローチャートを示されており、図１に示すように、該方法１００は、Ｓ１１０、Ｓ１２０を含む。
【００４１】
Ｓ１１０において、送信側装置は、受信側装置に第１情報を送信する。
【００４２】
具体的に、送信側装置は、第１時間単位ｎ（ｎが第１時間単位のインデックスである）で、受信側装置に第１情報を送信し、第１時間単位の時間の長さが第１伝送時間間隔（ＴＴＩ：Ｔｒａｎｓｍｉｓｓｉｏｎ  Ｔｉｍｅ  Ｉｎｔｅｒｖａｌ）であり、受信側装置は、システムのデフォルトのルールに基づいて、第１時間単位の時間の長さを確定しても良く、又は受信側装置は、送信側装置より送信された指示情報に基づいて、第１時間単位の時間の長さを確定しても良い。
【００４３】
Ｓ１２０において、受信側装置は、送信側装置に、該第１情報に関する第２情報を送信する。
【００４４】
具体的に、受信側装置は、送信側装置より送信された第１情報を受信した時に、第２時間単位ｋ（ｋが第２時間単位のインデックスである）で受信側装置に該第１情報に関する第２情報を送信することができ、該第２時間単位の時間の長さが第２ＴＴＩであり、しかも該第２ＴＴＩが第１ＴＴＩと異なり、受信側装置は、システムのデフォルトのルールに基づいて、第２時間単位ｋと第１時間単位ｎとの間の時間間隔を確定しても良く、送信側装置より送信された指示情報に基づいて、第２時間単位ｋと第１時間単位ｎとの間の時間間隔を確定しても良い。
【００４５】
選択肢としての一つの実施例において、該受信側装置が端末装置（又はユーザ装置という）である場合、対応する送信側装置は基地局であり、端末装置が第１時間単位ｎ内で、物理ダウンリンク共有チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）において、ダウンリンクデータを受信した場合、端末装置は、第２時間単位ｋ内で、基地局に端末装置が該ダウンリンクデータを成功に受信したか否かを示すために用いられるフィードバック情報を送信し、該フィードバック情報は、例えばＡＣＫ／ＮＡＣＫであっても良い。
【００４６】
選択肢としての一つの実施例において、該受信側装置が基地局である場合、対応する送信側装置は端末装置であり、端末装置が第１時間単位内ｎで、基地局により送信された、端末装置のアップリンクデータ伝送をスケジューリングするために用いられるダウンリンク制御シグナリング、例えば、アップリンクスケジューリング許可（ＵＬ  Ｇｒａｎｔ）を受信した場合、端末装置は、第２時間単位ｎ内で、物理共有チャネル（ＰＵＳＣＨ：Ｐｈｙｓｉｃａｌ  Ｕｐｌｉｎｋ  Ｓｈａｒｅｄ  Ｃｈａｎｎｅｌ）において、基地局にアップリンクデータを送信する。
【００４７】
選択肢としての一つの実施例において、第２時間単位ｋは、該第１時間単位ｎの開始時刻からターゲット時間の長さを経過してからの１個目の該第２時間単位であり、ここで、該ターゲット時間の長さは、該第１時間単位ｎの時間の長さの整数倍である。例えば、図２に示すように、第２時間単位ｋの開始時刻と第１時間単位ｎの開始時刻との時間間隔は、第１時間単位の時間の長さの４倍である。
【００４８】
選択肢としての一つの実施例において、一つのサブフレーム内にＭ個の該第１時間単位が含まれ、該Ｍ個の該第１時間単位中のｉ個目の該第１時間単位の終了時刻は、ｉ＋１個目の該第１時間単位の開始時刻の前であり、又は、ｉ個目の該第１時間単位の終了時刻は、ｉ＋１個目の該第１時間単位の開始時刻であり、ここで、Ｍが１以上の正の整数であり、Ｍの値が１である場合、ｉを０とし、Ｍが１より大きい正の整数である場合、ｉを１以上、且つＭ−１以下の正の整数とし、
一つのサブフレームはＮ個の該第２時間単位を含み、該Ｎ個の該第２時間単位内のｋ個目の該第２時間単位の終了時刻は、ｋ＋１個目の該第２時間単位の開始時刻の前であり、又は、該Ｎ個の該第２時間単位内のｋ個目の該第２時間単位の終了時刻は、ｋ＋１個目の該第２時間単位の開始時刻であり、ここで、Ｎが１以上の正の整数であり、Ｎの値が１である場合、ｋを０とし、Ｎが１より大きい正の整数である場合、ｋを１以上、且つＮ−１以下の正の整数とする。
【００４９】
つまり、現行のサブフレームの１ｍｓ時間の長さの内に、１個又は複数の第１時間単位が含まれることが可能であり、現行のサブフレームの１ｍｓ時間の長さの内に１個又は複数の第２時間単位が含まれることが可能である。
【００５０】
具体的に、一つの実施例において、Ｎの値が１であり、Ｍの値が２であり、つまり、ＦＤＤシステムにおいて、第１時間単位はＬＴＥタイムスロットであり、第２時間単位はＬＴＥサブフレームであり、図３に示すように、ダウンリンクデータ伝送を例として、ダウンリンクデータの伝送は、タイムスロットを時間単位とし、即ち０.５ｍｓ  ＴＴＩであり、ＡＣＫ／ＮＡＣＫ情報の伝送は、サブフレームを時間単位とし、即ち、１ｍｓ  ＴＴＩであり、仮に、システムより定められた処理遅延がデータ伝送に対応するＴＴＩのＮ倍であり、Ｎの値が４である場合において、受信装置がサブフレームａのタイムスロット０内でダウンリンクデータを受信した場合、ダウンリンクデータに対応するＡＣＫ／ＮＡＣＫ情報はサブフレームａ＋２において、伝送され、受信装置がサブフレームａのタイムスロット１内でダウンリンクデータを受信した場合、ダウンリンクデータに対応するＡＣＫ／ＮＡＣＫ情報は、サブフレームａ＋３において、伝送される。
【００５１】
選択肢としての一つの実施例において、Ｎの値が１であり、Ｍが３以上の正の整数であり、つまり、ＦＤＤシステムにおいて、一つのサブフレームには３個又は３個以上の第１時間単位が含まれ、第２時間単位はサブフレームである。図４に示すように、ダウンリンクデータ伝送を例として、一つのサブフレームに、３個のダウンリンクデータを伝送する時間単位（第１時間単位）が含まれ、ＡＣＫ／ＮＡＣＫ情報の伝送はサブフレームを時間単位とし、即ち１ｍｓサブフレームであり、システムより定められた処理遅延は、データ伝送に対応するＴＴＩのＮ倍であり、Ｎが正の整数であり、仮にＮ＝４であるとした場合、ＡＣＫ／ＮＡＣＫ情報のフィードバック時間は具体的図４に示されている通りである。
【００５２】
図５は、一つのタイムスロットに二つのダウンリンクデータを伝送する時間単位が含まれ、フィードバック情報の伝送は、サブフレームを時間単位とした場合における、ダウンリンクデータとフィードバック情報との伝送のタイムシーケンスを示す図である。仮に、システムより定められた処理遅延がデータ伝送に対応するＴＴＩの４倍である場合において、受信側装置がサブフレームａの１個目の第１時間単位内でダウンリンクデータを受信した場合、受信側装置は、サブフレームａ＋１において、送信側装置に該ダウンリンクデータに対応するフィードバック情報（ＡＣＫ／ＮＡＣＫ）を送信し、受信側装置は、サブフレームａの２個目の又は３個目の又は４個目の第１時間単位内で、ダウンリンクデータを受信した場合、受信側装置は、サブフレームａ＋２において、送信側装置に該ダウンリンクデータに対応するフィードバック情報を送信する。
【００５３】
選択肢としての一つの実施例において、Ｍの値が１であり、Ｎが２以上の正の整数であり、つまり、ＦＤＤシステムにおいて、一つのサブフレームに一つの第１時間単位が含まれ、一つのサブフレームに少なくとも二つの第２時間単位が含まれる。図６に示すように、ダウンリンクデータ伝送を例として、仮に、システムより定められた処理遅延がデータ伝送に対応するＴＴＩの４倍である場合において、受信側装置がサブフレームａにおいて、ダウンリンクデータを受信した場合、受信側装置は、サブフレームａ＋４内の１個目の第２時間単位内で、送信側装置に該ダウンリンクデータに対応するフィードバック情報（ＡＣＫ／ＮＡＣＫ）を送信する。
【００５４】
選択肢としての一つの実施例において、ＦＤＤシステムにおいて、Ｍの値が３であり、Ｎが２以上の正の整数であり、図７に示すように、ダウンリンクデータ伝送を例として、仮に、システムより定められた処理遅延がデータ伝送に対応するＴＴＩの４倍である場合において、受信側装置がサブフレームａ内の１個目の第１時間単位内で、ダウンリンクデータを受信した場合、受信側装置はサブフレームａ＋１内の２個目の第２時間単位内で、送信側装置にフィードバック情報を送信し、ａがサブフレームインデックス番号であり、及び／又は、受信側装置がサブフレームａ内の２個目の第１時間単位内又は３個目の第１時間単位内で、ダウンリンクデータを受信した場合、受信側装置は、サブフレームａ＋２内の１個目の第２時間単位内で送信側装置にフィードバック情報を送信し、ａがサブフレームインデックス番号である。
【００５５】
選択肢としての一つの実施例において、ＦＤＤシステムにおいて、Ｍの値が４であり、Ｎが２以上の正の整数であり、図８に示されているダウンリンクデータ伝送を例として、図８において、一つのサブフレームは４個の第１時間単位を含み、一つのサブフレームは２個の第２時間単位を含み、仮に、システムより定められた処理遅延がデータ伝送に対応するＴＴＩの４倍である場合において、受信側装置が、サブフレームａ内の１個目の第１時間単位内でダウンリンクデータを受信した場合、受信側装置は、サブフレームａ＋１内の１個目の第２時間単位内で、該送信側装置にフィードバック情報を送信し、ａがサブフレームインデックス番号であり、及び／又は、受信側装置が、サブフレームａ内の２個目の第１時間単位又は３個目の第１時間単位内で、ダウンリンクデータを受信した場合、受信側装置は、サブフレームａ＋１内の２個目の第２時間単位内で、送信側装置に第２情報を送信し、ａがサブフレームインデックス番号であり、及び／又は、受信側装置が、サブフレームａ内の４個目の第１時間単位で、ダウンリンクデータを受信した場合、受信側装置は、サブフレームａ＋２内の１個目の第２時間単位内で、端末装置にフィードバック情報を送信し、ａがサブフレームインデックス番号である。
【００５６】
選択肢としての一つの実施例において、ＦＤＤシステムにおいて、Ｍが６以上の正の整数であり、Ｎが２以上の正の整数であり、図９に示されているダウンリンクデータ伝送を例として、図９において、一つのサブフレームは７個の第１時間単位を含み、一つのサブフレームは２個の第２時間単位を含み、仮に、システムより定められた処理遅延がデータ伝送に対応するＴＴＩの４倍である場合において、受信側装置は、サブフレームａ内の先頭から４個の第１時間単位のうちのいずれかの第１時間単位内で、ダウンリンクデータを受信し、受信側装置は、サブフレームａ＋１内の１個目の第２時間単位内で、送信側装置にフィードバック情報を送信し、ａがサブフレームインデックス番号であり、及び／又は、受信側装置は、サブフレームａ内の末尾から３個の第１時間単位のうちのいずれかの第１時間単位内で、ダウンリンクデータを受信し、受信側装置は、サブフレームａ＋１内の２個目の第２時間単位内で、送信側装置にフィードバック情報を送信し、ａがサブフレームインデックス番号である。
【００５７】
選択肢としての一つの実施例において、時分割複信（ＴＤＤ：Ｔｉｍｅ  Ｄｉｖｉｓｉｏｎ  Ｄｕｐｌｅｘｉｎｇ）システムにおいて、アップリンク／ダウンリンク構成０を利用する時に、Ｎの値が１であり、Ｍの値が２であり、図１０に示すように、図内のＤは、ダウンリンクサブフレームを示し、Ｓは特殊なサブフレームを示し、Ｕはアップリンクサブフレームを示し、仮に、システムより定められた処理遅延がデータ伝送に対応するＴＴＩの４倍である場合において、受信側装置が、サブフレームａ内の１個目の第１時間単位内で、第１情報を受信した場合、受信側装置は、サブフレームａ＋２において、送信側装置に第２情報を送信し、ａがサブフレームインデックス番号であり、ａを０及び／又は１及び／又は５及び／又は６とし、及び／又は、受信側装置が、サブフレームａ内の２個目の第１時間単位内で、第１情報を受信し場合、受信側装置は、サブフレームａ＋３において、送信側装置に第２情報を送信し、ａがサブフレームインデックス番号であり、ａを０及び／又は１及び／又は５及び／又は６とする。
【００５８】
又は、ＴＤＤシステムにおいて、アップリンク／ダウンリンク構成１を利用する時に、Ｎの値が１であり、Ｍの値が２であり、図１１に示すように、図内のＤは、ダウンリンクサブフレームを示し、Ｓは特殊なサブフレームを示し、Ｕはアップリンクサブフレームを示し、仮に、システムより定められた処理遅延がデータ伝送に対応するＴＴＩの４倍である場合において、受信側装置は、サブフレームａ内の１個目の第１時間単位内で、第１情報を受信し、受信側装置は、サブフレームａ＋３において、送信側装置に第２情報を送信し、ａがサブフレームインデックス番号であり、ａを４及び／又は９とし、及び／又は、受信側装置は、サブフレームａ内の２個目の第１時間単位内で、第１情報を受信し、受信側装置は、サブフレームａ＋３において、送信側装置に第２情報を送信し、ａがサブフレームインデックス番号であり、ａを０及び／又は４及び／又は５及び／又は９とし、及び／又は、受信側装置は、サブフレームａ内の１個目の第１時間単位内で、第１情報を受信し、受信側装置は、サブフレームａ＋２において、送信側装置に第２情報を送信し、ａがサブフレームインデックス番号であり、ａを０及び／又は１及び／又は５及び／又は６とし、及び／又は、受信側装置は、サブフレームａ内の２個目の第１時間単位内で、第１情報を受信し、受信側装置は、サブフレームａ＋３において、送信側装置に第２情報を送信し、ａがサブフレームインデックス番号であり、ａを０及び／又は５とし、及び／又は、受信側装置は、サブフレームａ内の２個目の第１時間単位内で、前記第１情報を受信し、受信側装置は、サブフレームａ＋６において、送信側装置に前記第２情報を送信し、ａがサブフレームインデックス番号であり、ａを１及び／又は６とする。
【００５９】
又は、ＴＤＤシステムにおいて、アップリンク／ダウンリンク構成１を利用する時に、Ｎの値が１であり、Ｍの値が２であり、図１２に示すように、図内のＤは、ダウンリンクサブフレームを示し、Ｓは、特殊なサブフレームを示し、Ｕは、アップリンクサブフレームを示し、仮に、システムより定められた処理遅延が、データ伝送に対応するＴＴＩの４倍である場合、受信側装置は、サブフレームａ内の１個目の第１時間単位内で、前記第１情報を受信し、受信側装置は、サブフレームａ＋２において、送信側装置に第２情報を送信し、ａがサブフレームインデックス番号であり、ａを０及び／又は５とし、及び／又は、受信側装置は、サブフレームａ内の２個目の第１時間単位内で、第１情報を受信し、受信側装置は、サブフレームａ＋７において、送信側装置に前記第２情報を送信し、ａがサブフレームインデックス番号であり、ａを０及び／又は５とし、及び／又は、受信側装置は、サブフレームａ内の１個目及び／又は２個目の第１時間単位内で、第１情報を受信し、受信側装置は、サブフレームａ＋６において、送信側装置に第２情報を送信し、ａがサブフレームインデックス番号であり、ａを１及び／又は６とし、及び／又は、受信側装置は、サブフレームａ内の１個目及び／又は２個目の第１時間単位内で、前記第１情報を受信し、受信側装置は、サブフレームａ＋４において、送信側装置に第２情報を送信し、ａがサブフレームインデックス番号であり、ａを３及び／又は８とし、及び／又は、受信側装置は、サブフレームａ内の１個目及び／又は２個目の第１時間単位内で、第１情報を受信し、受信側装置は、サブフレームａ＋３において、送信側装置に前記第２情報を送信し、ａがサブフレームインデックス番号であり、ａを４及び／又は９とする。
【００６０】
又は、ＴＤＤシステムにおいて、アップリンク／ダウンリンク構成１を利用する時に、Ｎの値が１であり、Ｍの値が２であり、図１３に示すように、図内のＤは、ダウンリンクサブフレームを示し、Ｓは特殊なサブフレームを示し、Ｕはアップリンクサブフレームを示し、仮に、システムより定められた処理遅延がデータ伝送に対応するＴＴＩの４倍である場合において、受信側装置は、サブフレームａ内の１個目及び／又は２個目の第１時間単位内で、第１情報を受信し、受信側装置は、サブフレームａ＋７において、送信側装置に第２情報を送信し、ａがサブフレームインデックス番号であり、ａを５とし、及び／又は、受信側装置は、サブフレームａ内の１個目及び／又は２個目の第１時間単位内で、第１情報を受信し、受信側装置は、サブフレームａ＋６において、送信側装置に第２情報を送信し、ａがサブフレームインデックス番号であり、ａを６とし、及び／又は、受信側装置は、サブフレームａ内の１個目及び／又は２個目の第１時間単位内で、第１情報を受信し、受信側装置は、サブフレームａ＋５において、送信側装置に第２情報を送信し、ａがサブフレームインデックス番号であり、ａを７とし、及び／又は、受信側装置は、サブフレームａ内の１個目及び／又は２個目の第１時間単位内で、第１情報を受信し、受信側装置は、サブフレームａ＋４において、前記送信側装置に第２情報を送信し、ａがサブフレームインデックス番号であり、ａを８とし、及び／又は、受信側装置は、サブフレームａ内の１個目及び／又は２個目の第１時間単位内で、第１情報を受信し、受信側装置は、サブフレームａ＋３において、送信側装置に第２情報を送信し、ａがサブフレームインデックス番号であり、ａを９とし、及び／又は、受信側装置は、サブフレームａ内の１個目の第１時間単位内で、第１情報を受信し、受信側装置は、サブフレームａ＋２において、送信側装置に第２情報を送信し、ａがサブフレームインデックス番号であり、ａを０及び／又は１とし、及び／又は、受信側装置は、サブフレームａ内の２個目の第１時間単位内で、第１情報を受信し、受信側装置は、サブフレームａ＋３において、送信側装置に第２情報を送信し、ａがサブフレームインデックス番号であり、ａを０及び／又は１とする。
【００６１】
又は、ＴＤＤシステムにおいて、アップリンク／ダウンリンク構成１を利用する時に、Ｎの値が１であり、Ｍの値が２であり、図１４に示すように、図内のＤはダウンリンクサブフレームを示し、Ｓは特殊なサブフレームを示し、Ｕはアップリンクサブフレームを示し、仮に、システムより定められた処理遅延がデータ伝送に対応するＴＴＩの４倍である場合において、受信側装置は、サブフレームａ内の２個目の第１時間単位内で、第１情報を受信し、受信側装置は、サブフレームａ＋１１において、送信側装置に第２情報を送信し、ａがサブフレームインデックス番号であり、ａを１とし、及び／又は、受信側装置は、サブフレームａ内の第１及び／又は２個目の第１時間単位内で、第１情報を受信し、受信側装置は、サブフレームａ＋８において、送信側装置に第２情報を送信し、ａがサブフレームインデックス番号であり、ａを４とし、及び／又は、受信側装置は、サブフレームａ内の１個目及び／又は２個目の第１時間単位内で、第１情報を受信し、受信側装置は、サブフレームａ＋７において、送信側装置に第２情報を送信し、ａがサブフレームインデックス番号であり、ａを５とし、及び／又は、受信側装置は、サブフレームａ内の１個目及び／又は２個目の第１時間単位内で、第１情報を受信し、受信側装置は、サブフレームａ＋６において、送信側装置に第２情報を送信し、ａがサブフレームインデックス番号であり、ａを６とし、及び／又は、受信側装置は、サブフレームａ内の１個目及び／又は２個目の第１時間単位内で、第１情報を受信し、受信側装置は、サブフレームａ＋５において、送信側装置に第２情報を送信し、ａがサブフレームインデックス番号であり、ａを７とし、及び／又は、受信側装置は、サブフレームａ内の１個目及び／又は２個目の第１時間単位内で、第１情報を受信し、受信側装置は、サブフレームａ＋４において、送信側装置に第２情報を送信し、ａがサブフレームインデックス番号であり、ａを８とし、及び／又は、受信側装置は、サブフレームａ内の１個目及び／又は２個目の第１時間単位内で、第１情報を受信し、受信側装置は、サブフレームａ＋３において、送信側装置に第２情報を送信し、ａがサブフレームインデックス番号であり、ａを９とし、及び／又は、受信側装置は、サブフレームａ内の１個目の第１時間単位内で、第１情報を受信し、受信側装置は、サブフレームａ＋２において、送信側装置に第２情報を送信し、ａがサブフレームインデックス番号であり、ａを０及び／又は１とする。
【００６２】
又は、ＴＤＤシステムにおいて、アップリンク／ダウンリンク構成１を利用する時に、Ｎの値が１であり、Ｍの値が２であり、図１５に示すように、図内のＤはダウンリンクサブフレームを示し、Ｓは特殊なサブフレームを示し、Ｕはアップリンクサブフレームを示し、仮に、システムより定められた処理遅延がデータ伝送に対応するＴＴＩの４倍である場合において、受信側装置は、サブフレームａ内の２個目の第１時間単位内で、第１情報を受信し、受信側装置は、サブフレームａ＋１２において、送信側装置に第２情報を送信し、ａがサブフレームインデックス番号であり、ａを０とし、及び／又は、受信側装置は、サブフレームａ内の第１及び／又は２個目の第１時間単位内で、第１情報を受信し、受信側装置は、サブフレームａ＋１１において、送信側装置に第２情報を送信し、ａがサブフレームインデックス番号であり、ａを１とし、及び／又は、受信側装置は、サブフレームａ内の第１及び／又は２個目の第１時間単位内で、第１情報を受信し、受信側装置は、サブフレームａ＋９において、送信側装置に第２情報を送信し、ａがサブフレームインデックス番号であり、ａを３とし、及び／又は、受信側装置は、サブフレームａ内の第１及び／又は２個目の前記第１時間単位内で、第１情報を受信し、受信側装置は、サブフレームａ＋８において、送信側装置に第２情報を送信し、ａがサブフレームインデックス番号であり、ａを４とし、及び／又は、受信側装置は、サブフレームａ内の１個目及び／又は２個目の第１時間単位内で、第１情報を受信し、受信側装置は、サブフレームａ＋７において、送信側装置に第２情報を送信し、ａがサブフレームインデックス番号であり、ａを５とし、及び／又は、受信側装置は、サブフレームａ内の１個目及び／又は２個目の第１時間単位内で、第１情報を受信し、受信側装置は、サブフレームａ＋６において、送信側装置に第２情報を送信し、ａがサブフレームインデックス番号であり、ａを６とし、及び／又は、受信側装置は、サブフレームａ内の１個目及び／又は２個目の第１時間単位内で、第１情報を受信し、受信側装置は、サブフレームａ＋５において、送信側装置に第２情報を送信し、ａがサブフレームインデックス番号であり、ａを７とし、及び／又は、受信側装置は、サブフレームａ内の１個目及び／又は２個目の第１時間単位内で、第１情報を受信し、受信側装置は、サブフレームａ＋４において、送信側装置に第２情報を送信し、ａがサブフレームインデックス番号であり、ａを８とし、及び／又は、受信側装置は、サブフレームａ内の１個目及び／又は２個目の第１時間単位内で、第１情報を受信し、受信側装置は、サブフレームａ＋３において、送信側装置に第２情報を送信し、ａがサブフレームインデックス番号であり、ａを９とし、及び／又は、受信側装置は、サブフレームａ内の１個目の第１時間単位内で、第１情報を受信し、受信側装置は、サブフレームａ＋２において、送信側装置に第２情報を送信し、ａがサブフレームインデックス番号であり、ａを０とする。
【００６３】
又は、ＴＤＤシステムにおいて、アップリンク／ダウンリンク構成１を利用する時に、Ｎの値が１であり、Ｍの値が２であり、図１６に示すように、図内のＤはダウンリンクサブフレームを示し、Ｓは特殊なサブフレームを示し、Ｕはアップリンクサブフレームを示し、仮に、システムより定められた処理遅延がデータ伝送に対応するＴＴＩの４倍である場合において、受信側装置は、サブフレームａ内の１個目の第１時間単位内で、第１情報を受信し、受信側装置は、サブフレームａ＋２において、送信側装置に第２情報を送信し、ａがサブフレームインデックス番号であり、ａを０及び／又は１及び／又は５及び／又は６とし、及び／又は、受信側装置は、サブフレームａ内の２個目の第１時間単位内で、第１情報を受信し、受信側装置は、サブフレームａ＋３において、送信側装置に第２情報を送信し、ａがサブフレームインデックス番号であり、ａを０及び／又は１及び／又は５とし、及び／又は、受信側装置は、サブフレームａ内の２個目の第１時間単位内で、第１情報を受信し、受信側装置は、サブフレームａ＋６において、送信側装置に第２情報を送信し、ａがサブフレームインデックス番号であり、ａを６とし、及び／又は、受信側装置は、サブフレームａ内の１個目及び／又は２個目の第１時間単位内で、第１情報を受信し、受信側装置は、サブフレームａ＋３において、送信側装置に第２情報を送信し、ａがサブフレームインデックス番号であり、ａを９とする。
【００６４】
なお、本発明の実施例において、Ｎの値が１であり、Ｍの値が２であることを例として説明しており、ＮとＭがその他の値を取る場合における受信情報と送信情報とのタイムシーケンス関係は、本発明の実施例に説明されている方法により得られ、ここでそれ以上説明しない。
【００６５】
さらに、本発明の実施例において、複数の第１時間単位が一つの第２時間単位に対応する場合、基地局は、複数の第１時間単位内で、端末装置にＵＬ  Ｇｒａｎｔを送信することができ、端末装置は、複数のＵＬ  Ｇｒａｎｔを受信した場合、受信時間が後ろであるＵＬ  Ｇｒａｎｔを基準とすることができる。又は、基地局は、複数の第１時間単位内の最後の第１時間単位を固定的に使用してＵＬ  Ｇｒａｎｔを伝送することができ、本発明はこれに対して限定しない。
【００６６】
そのため、本発明の実施例における情報伝送の方法によって、アップリンク／ダウンリンクにおいて、異なる伝送時間間隔（ＴＴＩ）を使用する時、又は通信システムが複数のＴＴＩを使用する時に、受信側装置と送信側装置は、合理的なスケジューリング及びフィードバックタイムシーケンスを確定することができ、情報の正常の伝送を保証する。
【００６７】
以上において、図１〜図１６を結合し、本発明の実施例における情報伝送の方法を詳しく説明しており、以下において、図１７を結合し、本発明の実施例における受信側装置１０を詳しく説明する。
【００６８】
図１７に示すように、本発明の実施例における受信側装置１０は、
第１時間単位内で、送信側装置より送信された第１情報を受信するように構成される受信ユニット１１と、
第２時間単位内で、該送信側装置に該第１情報に対応する第２情報を送信するように構成される送信ユニット１２と、
を含み、ここで、該第１時間単位の時間の長さが、該第２時間単位の時間の長さと異なる。
【００６９】
そのため、本発明の実施例における受信側装置は、アップリンク／ダウンリンクにおいて、異なる伝送時間間隔（ＴＴＩ）を使用する時、又は通信システムが複数のＴＴＩを使用する時に、合理的なスケジューリング、及びフィードバックのタイムシーケンスを確定することができ、情報の正常の伝送を保証する。
【００７０】
本発明の実施例において、選択肢として、該第２時間単位は、該第１時間単位の開始時刻からターゲット時間の長さを経過してからの１個目の該第２時間単位であり、ここで、該ターゲット時間の長さは、該第１時間単位の時間の長さの整数倍である。
【００７１】
本発明の実施例において、選択肢として、一つのサブフレーム内にＭ個の該第１時間単位が含まれ、該Ｍ個の該第１時間単位中のｉ個目の該第１時間単位の終了時刻は、ｉ＋１個目の該第１時間単位の開始時刻の前であり、又は、ｉ個目の該第１時間単位の終了時刻は、ｉ＋１個目の該第１時間単位の開始時刻であり、ここで、Ｍが１以上の正の整数であり、Ｍの値が１である場合、ｉを０とし、Ｍが１より大きい正の整数である場合、ｉを１以上、且つＭ−１以下の正の整数とし、
一つのサブフレームはＮ個の該第２時間単位を含み、該Ｎ個の該第２時間単位内のｋ個目の該第２時間単位の終了時刻は、ｋ＋１個目の該第２時間単位の開始時刻の前であり、又は、該Ｎ個の該第２時間単位内のｋ個目の該第２時間単位の終了時刻は、ｋ＋１個目の該第２時間単位の開始時刻であり、ここで、Ｎが１以上の正の整数であり、Ｎの値が１である場合、ｋを０とし、Ｎが１より大きい正の整数である場合、ｋを１以上、且つＮ−１以下の正の整数とする。
【００７２】
本発明の実施例において、選択肢として、該受信側装置が周波数分割複信（ＦＤＤ）に適用される場合、Ｎの値が１であり、Ｍの値が２であり、ここで、該受信ユニット１１は、具体的にサブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、及び／又は、該受信ユニット１１は、具体的に、サブフレームａ内の２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号である。
【００７３】
本発明の実施例において、選択肢として、該受信側装置が周波数分割複信（ＦＤＤ）に適用される場合、Ｎの値が１であり、Ｍが３以上の正の整数であり、ここで、該受信ユニット１１は、サブフレームａ内の先頭からＭ−３個の該第１時間単位のうちのいずれか一つの該第１時間単位内で、該第１情報を受信するように構成され、該送信ユニット１２は、具体的に、サブフレームａ＋１において、該送信側装置に該第２情報を送信するように構成され、ａがサブフレームインデックス番号であり、及び／又は、該受信ユニット１１は、具体的に、サブフレームａ内の末尾から３個の該第１時間単位のうちのいずれか一つの該第１時間単位内で、該第１情報を受信するように構成され、該送信ユニット１２は、具体的に、サブフレームａ＋２において、該送信側装置に該第２情報を送信するように構成され、ａがサブフレームインデックス番号である。
【００７４】
本発明の実施例において、選択肢として、該受信側装置が周波数分割複信（ＦＤＤ）に適用される場合、Ｍの値が１であり、Ｎが２以上の正の整数であり、ここで、該受信ユニット１１は、具体的に、サブフレームａにおいて、該第１情報を受信するように構成され、該送信ユニット１２は、具体的に、サブフレームａ＋４内の１個目の該第２時間単位内で、該送信側装置に該第２情報を送信するように構成され、ａがサブフレームインデックス番号である。
【００７５】
本発明の実施例において、選択肢として、該受信側装置が周波数分割複信（ＦＤＤ）に適用される場合、Ｍの値が３であり、Ｎが２以上の正の整数であり、ここで、該受信ユニット１１は、具体的に、サブフレームａ内の１個目の該第１時間単位内で、該第１情報を受信するように構成され、該送信ユニット１２は、具体的に、サブフレームａ＋１内の２個目の該第２時間単位内で、該送信側装置に該第２情報を送信するように構成され、ａがサブフレームインデックス番号であり、及び／又は、該受信ユニット１１は、具体的に、サブフレームａ内の２個目の該第１時間単位内又は３個目の該第１時間単位内で、該第１情報を受信するように構成され、該送信ユニット１２は、具体的に、サブフレームａ＋２内の１個目の該第２時間単位内で、該送信側装置に該第２情報を送信するように構成され、ａがサブフレームインデックス番号である。
【００７６】
本発明の実施例において、選択肢として、該受信側装置が周波数分割複信（ＦＤＤ）に適用される場合、Ｍの値が４であり、Ｎが２以上の正の整数であり、ここで、該受信ユニット１１は、具体的に、サブフレームａ内の１個目の該第１時間単位内で、該第１情報を受信するように構成され、該送信ユニット１２は、具体的に、サブフレームａ＋１内の１個目の該第２時間単位内で、該送信側装置に該第２情報を送信するように構成され、ａがサブフレームインデックス番号であり、及び／又は、該受信ユニット１１は、具体的に、サブフレームａ内の２個目の該第１時間単位又は３個目の該第１時間単位内で、該第１情報を受信するように構成され、該送信ユニット１２は、具体的に、サブフレームａ＋１内の２個目の該第２時間単位内で、該送信側装置に該第２情報を送信するように構成され、ａがサブフレームインデックス番号であり、及び／又は、該受信ユニット１１は、具体的に、サブフレームａ内の４個目の該第１時間単位で、該第１情報を受信するように構成され、該送信ユニット１２は、具体的に、サブフレームａ＋２内の１個目の該第２時間単位内で、該端末装置に該第２情報を送信するように構成され、ａがサブフレームインデックス番号である。
【００７７】
本発明の実施例において、選択肢として、該受信側装置が周波数分割複信（ＦＤＤ）に適用される場合、Ｍが６以上の正の整数であり、Ｎが２以上の正の整数であり、ここで、該受信ユニット１１は、具体的に、サブフレームａ内の先頭からＭ−３個の該第１時間単位のうちのいずれか一つの該第１時間単位内で、該第１情報を受信するように構成され、該送信ユニット１２は、具体的に、サブフレームａ＋１内の１個目の該第２時間単位内で、該送信側装置に該第２情報を送信するように構成され、ａがサブフレームインデックス番号であり、及び／又は、
該受信ユニット１１は、具体的に、サブフレームａ内の末尾から３個の該第１時間単位のうちのいずれか一つの該第１時間単位内で、該第１情報を受信するように構成され、該送信ユニット１２は、具体的に、サブフレームａ＋１内の２個目の該第２時間単位内で、該送信側装置に該第２情報を送信するように構成され、ａがサブフレームインデックス番号である。
【００７８】
本発明の実施例において、選択肢として、該受信側装置が時分割複信（ＴＤＤ）システムに適用される場合、Ｎの値が１であり、Ｍの値が２であり、
ここで、該受信側装置は、ＴＤＤアップリンク／ダウンリンク構成０に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０及び／又は１及び／又は５及び／又は６とし、
及び／又は、
該受信側装置は、ＴＤＤアップリンク／ダウンリンク構成０に適用され、該受信ユニット１１は、具体的に、サブフレームａ内の２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを０及び／又は１及び／又は５及び／又は６とし、
及び／又は、
該受信側装置は、ＴＤＤアップリンク／ダウンリンク構成１に適用され、該受信ユニット１１は、具体的に、サブフレームａ内の１個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを４及び／又は９とし、
及び／又は、
該受信側装置は、ＴＤＤアップリンク／ダウンリンク構成１に適用され、該受信ユニット１１は、具体的に、サブフレームａ内の２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを０及び／又は４及び／又は５及び／又は９とし、
及び／又は、
該受信側装置は、ＴＤＤアップリンク／ダウンリンク構成１に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０及び／又は１及び／又は５及び／又は６とし、
及び／又は、
該受信側装置は、ＴＤＤアップリンク／ダウンリンク構成１に適用され、該受信ユニット１１は、具体的に、サブフレームａ内の２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを０及び／又は５とし、
及び／又は、
該受信側装置は、ＴＤＤアップリンク／ダウンリンク構成１に適用され、該受信ユニット１１は、具体的に、サブフレームａ内の２個目の該第１時間単位内で、該第１情報を受信するように構成され、該送信ユニット１２は、具体的に、サブフレームａ＋６において、該送信側装置に該第２情報を送信するように構成され、ａがサブフレームインデックス番号であり、ａを１及び／又は６とし、
及び／又は、
該受信側装置は、ＴＤＤアップリンク／ダウンリンク構成２に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０及び／又は５とし、
及び／又は、
該受信側装置は、ＴＤＤアップリンク／ダウンリンク構成２に適用され、該受信ユニット１１は、具体的に、サブフレームａ内の２個目の該第１時間単位内で、該第１情報を受信するように構成され、該送信ユニット１２は、具体的に、サブフレームａ＋７において、該送信側装置に該第２情報を送信するように構成され、ａがサブフレームインデックス番号であり、ａを０及び／又は５とし、
及び／又は、
該受信側装置は、ＴＤＤアップリンク／ダウンリンク構成２に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋６において、該送信側装置に該第２情報を送信するように構成され、ａがサブフレームインデックス番号であり、ａを１及び／又は６とし、
及び／又は、
該受信側装置は、ＴＤＤアップリンク／ダウンリンク構成２に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋４において、該送信側装置に該第２情報を送信するように構成され、ａがサブフレームインデックス番号であり、ａを３及び／又は８とし、
及び／又は、
該受信側装置は、ＴＤＤアップリンク／ダウンリンク構成２に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを４及び／又は９とし、
及び／又は、
該受信側装置は、ＴＤＤアップリンク／ダウンリンク構成３に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋７において、該送信側装置に該第２情報を送信するように構成され、ａがサブフレームインデックス番号であり、ａを５とし、
及び／又は、
該受信側装置は、ＴＤＤアップリンク／ダウンリンク構成３に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋６において、該送信側装置に該第２情報を送信するように構成され、ａがサブフレームインデックス番号であり、ａを６とし、
及び／又は、
該受信側装置は、ＴＤＤアップリンク／ダウンリンク構成３に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋５において、該送信側装置に該第２情報を送信するように構成され、ａがサブフレームインデックス番号であり、ａを７とし、
及び／又は、
該受信側装置は、ＴＤＤアップリンク／ダウンリンク構成３に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋４において、該送信側装置に該第２情報を送信するように構成され、ａがサブフレームインデックス番号であり、ａを８とし、
及び／又は、
該受信側装置は、ＴＤＤアップリンク／ダウンリンク構成３に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを９とし、
及び／又は、
該受信側装置は、ＴＤＤアップリンク／ダウンリンク構成３に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０及び／又は１とし、
及び／又は、
該受信側装置は、ＴＤＤアップリンク／ダウンリンク構成３に適用され、該受信ユニット１１は、具体的に、サブフレームａ内の２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを０及び／又は１とし、
及び／又は、
該受信側装置は、ＴＤＤアップリンク／ダウンリンク構成４に適用され、該受信ユニット１１は、具体的に、サブフレームａ内の２個目の該第１時間単位内で、該第１情報を受信するように構成され、該送信ユニット１２は、具体的に、サブフレームａ＋１１において、該送信側装置に該第２情報を送信するように構成され、ａがサブフレームインデックス番号であり、ａを１とし、
及び／又は、
該受信側装置は、ＴＤＤアップリンク／ダウンリンク構成４に適用され、該受信ユニット１１は、具体的に、サブフレームａ内の第１及び／又は２個目の該第１時間単位内で、該第１情報を受信するように構成され、該送信ユニット１２は、具体的に、サブフレームａ＋８において、該送信側装置に該第２情報を送信するように構成され、ａがサブフレームインデックス番号であり、ａを４とし、
及び／又は、
該受信側装置は、ＴＤＤアップリンク／ダウンリンク構成４に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋７において、該送信側装置に該第２情報を送信するように構成され、ａがサブフレームインデックス番号であり、ａを５とし、
及び／又は、
該受信側装置は、ＴＤＤアップリンク／ダウンリンク構成４に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋６において、該送信側装置に該第２情報を送信するように構成され、ａがサブフレームインデックス番号であり、ａを６とし、
及び／又は、
該受信側装置は、ＴＤＤアップリンク／ダウンリンク構成４に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋５において、該送信側装置に該第２情報を送信するように構成され、ａがサブフレームインデックス番号であり、ａを７とし、
及び／又は、
該受信側装置は、ＴＤＤアップリンク／ダウンリンク構成４に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋４において、該送信側装置に該第２情報を送信するように構成され、ａがサブフレームインデックス番号であり、ａを８とし、
及び／又は、
該受信側装置は、ＴＤＤアップリンク／ダウンリンク構成４に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを９とし、
及び／又は、
該受信側装置は、ＴＤＤアップリンク／ダウンリンク構成４に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０及び／又は１とし、
及び／又は、
該受信側装置は、ＴＤＤアップリンク／ダウンリンク構成５に適用され、該受信ユニット１１は、具体的に、サブフレームａ内の２個目の該第１時間単位内で、該第１情報を受信するように構成され、該送信ユニット１２は、具体的に、サブフレームａ＋１２において、該送信側装置に該第２情報を送信するように構成され、ａがサブフレームインデックス番号であり、ａを０とし、
及び／又は、
該受信側装置は、ＴＤＤアップリンク／ダウンリンク構成５に適用され、該受信ユニット１１は、具体的に、サブフレームａ内の第１及び／又は２個目の該第１時間単位内で、該第１情報を受信するように構成され、該送信ユニット１２は、具体的に、サブフレームａ＋１１において、該送信側装置に該第２情報を送信するように構成され、ａがサブフレームインデックス番号であり、ａを１とし、
及び／又は、
該受信側装置は、ＴＤＤアップリンク／ダウンリンク構成５に適用され、該受信ユニット１１は、具体的に、サブフレームａ内の第１及び／又は２個目の該第１時間単位内で、該第１情報を受信するように構成され、該送信ユニット１２は、具体的に、サブフレームａ＋９において、該送信側装置に該第２情報を送信するように構成され、ａがサブフレームインデックス番号であり、ａを３とし、
及び／又は、
該受信側装置は、ＴＤＤアップリンク／ダウンリンク構成５に適用され、該受信ユニット１１は、具体的に、サブフレームａ内の第１及び／又は２個目の該第１時間単位内で、該第１情報を受信するように構成され、該送信ユニット１２は、具体的に、サブフレームａ＋８において、該送信側装置に該第２情報を送信するように構成され、ａがサブフレームインデックス番号であり、ａを４とし、
及び／又は、
該受信側装置は、ＴＤＤアップリンク／ダウンリンク構成５に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋７において、該送信側装置に該第２情報を送信するように構成され、ａがサブフレームインデックス番号であり、ａを５とし、
及び／又は、
該受信側装置は、ＴＤＤアップリンク／ダウンリンク構成５に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋６において、該送信側装置に該第２情報を送信するように構成され、ａがサブフレームインデックス番号であり、ａを６とし、
及び／又は、
該受信側装置は、ＴＤＤアップリンク／ダウンリンク構成５に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋５において、該送信側装置に該第２情報を送信するように構成され、ａがサブフレームインデックス番号であり、ａを７とし、
及び／又は、
該受信側装置は、ＴＤＤアップリンク／ダウンリンク構成５に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋４において、該送信側装置に該第２情報を送信するように構成され、ａがサブフレームインデックス番号であり、ａを８とし、
及び／又は、
該受信側装置は、ＴＤＤアップリンク／ダウンリンク構成５に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを９とし、
及び／又は、
該受信側装置は、ＴＤＤアップリンク／ダウンリンク構成５に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０とし、
及び／又は、
該受信側装置は、ＴＤＤアップリンク／ダウンリンク構成６に適用され、該受信ユニット１１は、具体的に、サブフレームａ内の１個目の該第１時間単位内で、該第１情報を受信するように構成され、該送信ユニット１２は、具体的に、サブフレームａ＋２において、該送信側装置に該第２情報を送信するように構成され、ａがサブフレームインデックス番号であり、ａを０及び／又は１及び／又は５及び／又は６とし、
及び／又は、
該受信側装置は、ＴＤＤアップリンク／ダウンリンク構成６に適用され、該受信ユニット１１は、具体的に、サブフレームａ内の２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを０及び／又は１及び／又は５とし、
及び／又は、
該受信側装置は、ＴＤＤアップリンク／ダウンリンク構成６に適用され、該受信ユニット１１は、具体的に、サブフレームａ内の２個目の該第１時間単位内で、該第１情報を受信するように構成され、該送信ユニット１２は、具体的に、サブフレームａ＋６において、該送信側装置に該第２情報を送信するように構成され、ａがサブフレームインデックス番号であり、ａを６とし、
及び／又は、
該受信側装置は、ＴＤＤアップリンク／ダウンリンク構成６に適用され、該受信ユニット１１は、具体的に、サブフレームａ内の１個目及び／又は２個目の該第１時間単位内で、該第１情報を受信するように構成され、該送信ユニット１２は、具体的に、サブフレームａ＋３において、該送信側装置に該第２情報を送信するように構成され、ａがサブフレームインデックス番号であり、ａを９とする。
【００７９】
本発明の実施例において、選択肢として、該受信ユニット１１は、具体的に、該第１時間単位内で、該送信側装置により物理ダウンリンク共有チャネル（ＰＤＳＣＨ）において送信されたダウンリンクデータを受信するように構成され、
ここで、該送信ユニット１２は、具体的に、該第２時間単位内で、該送信側装置にフィードバック情報を送信するように構成され、該フィードバック情報は、該受信側装置が該ダウンリンクデータを成功に受信したか否かを示すために用いられる。
【００８０】
本発明の実施例において、選択肢として、該受信ユニット１１は、具体的に、該第１時間単位内で、該送信側装置により送信されたダウンリンク制御シグナリングを受信するように構成され、該ダウンリンク制御シグナリングが、該受信側装置におけるアップリンクデータの伝送をスケジューリングするように用いられ、
ここで、該送信ユニット１２は、具体的に、該第２時間単位内で、物理アップリンク共有チャネル（ＰＵＳＣＨ）において、該送信側装置にアップリンクデータを送信するように構成される。
【００８１】
なお、本発明の実施例における受信側装置１０は、本発明の実施例における情報伝送を実施する方法１００に対応することができ、受信側装置１０内の各々のユニットの上記のとその他との操作及び／又は機能のそれぞれは、図１における方法内の受信側装置により実施される対応するフローを実現するためのものであり、簡潔のため、ここでそれ以上説明しない。
【００８２】
なお、本発明の実施例において、受信ユニット１１は、レシーバーにより実現されても良く、送信ユニット１２は、トランスミッタにより実現されても良く、図１８に示すように、受信側装置１００は、プロセッサ１０１、レシーバー１０２、トランスミッタ１０３、及び記憶装置１０４を含むことが可能である。ここで、記憶装置１０４は、プロセッサ１０１により実行するコードなどを記憶するために用いられることが可能である。
【００８３】
受信側装置１００内の各コンポーネントはバスシステム１０５によってカップリンブされており、ここでバスシステム１０５は、データバス以外に、電源バス、制御バス及び状態信号バスを含む。
【００８４】
なお、本発明の実施例における受信側装置１００は、本発明の実施例における受信側装置１０に対応することができ、本発明の実施例における方法を実行する主体に対応することができ、簡潔のため、ここでそれ以上説明しない。
【００８５】
図１９は、本発明の実施例における送信側装置２０を示すブロック図であり、図１９に示すように、該送信側装置２０は、
第１時間単位内で、受信側装置に第１情報を送信するように構成される送信ユニット２１と、
第２時間単位内で、該受信側装置より送信された該第１情報に対応する第２情報を受信するように構成される受信ユニット２２と、
を含み、ここで、該第１時間単位の時間の長さが、該第２時間単位の時間の長さと異なる。
【００８６】
そのため、本発明の実施例における送信側装置は、アップリンク／ダウンリンクにおいて、異なる伝送時間間隔（ＴＴＩ）を使用する時、又は通信システムが複数のＴＴＩを使用する時に、合理的なスケジューリング、及びフィードバックのタイムシーケンスを確定することができ、情報の正常の伝送を保証する。
【００８７】
本発明の実施例において、選択肢として、該第２時間単位は、該第１時間単位の開始時刻からターゲット時間の長さを経過してからの１個目の該第２時間単位であり、ここで、該ターゲット時間の長さは、該第１時間単位の時間の長さの整数倍である。
【００８８】
本発明の実施例において、選択肢として、一つのサブフレーム内にＭ個の該第１時間単位が含まれ、該Ｍ個の該第１時間単位中のｉ個目の該第１時間単位の終了時刻は、ｉ＋１個目の該第１時間単位の開始時刻の前であり、又は、ｉ個目の該第１時間単位の終了時刻は、ｉ＋１個目の該第１時間単位の開始時刻であり、ここで、Ｍが１以上の正の整数であり、Ｍの値が１である場合、ｉを０とし、Ｍが１より大きい正の整数である場合、ｉを１以上、且つＭ−１以下の正の整数とし、
一つのサブフレームはＮ個の該第２時間単位を含み、該Ｎ個の該第２時間単位内のｋ個目の該第２時間単位の終了時刻は、ｋ＋１個目の該第２時間単位の開始時刻の前であり、又は、該Ｎ個の該第２時間単位内のｋ個目の該第２時間単位の終了時刻は、ｋ＋１個目の該第２時間単位の開始時刻であり、ここで、Ｎが１以上の正の整数であり、Ｎの値が１である場合、ｋを０とし、Ｎが１より大きい正の整数である場合、ｋを１以上、且つＮ−１以下の正の整数とする。
【００８９】
本発明の実施例において、選択肢として、該送信側装置が周波数分割複信（ＦＤＤ）システムに適用される場合、Ｎの値が１であり、Ｍの値が２であり、ここで、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、及び／又は、該送信ユニット２１は、具体的に、サブフレームａ内の２個目の該第１時間単位内で、該第１情報を送信するように構成され、該受信ユニット２２は、具体的に、サブフレームａ＋３において、該第２情報を受信するように構成され、ａがサブフレームインデックス番号である。
【００９０】
本発明の実施例において、選択肢として、Ｎの値が１であり、該送信側装置が周波数分割複信（ＦＤＤ）システムに適用される場合、Ｍが３以上の正の整数であり、ここで、該送信ユニット２１は、具体的に、サブフレームａ内の先頭からＭ−３個の該第１時間単位のうちのいずれか一つの該第１時間単位内で、該第１情報を送信するように構成され、該受信ユニット２２は、具体的に、サブフレームａ＋１において、該第２情報を受信するように構成され、ａがサブフレームインデックス番号であり、及び／又は、該送信ユニット２１は、具体的に、サブフレームａ内の末尾から３個の該第１時間単位のうちのいずれか一つの該第１時間単位内で、該第１情報を送信するように構成され、該受信ユニット２２は、具体的に、サブフレームａ＋２において、該第２情報を受信するように構成され、ａがサブフレームインデックス番号である。
【００９１】
本発明の実施例において、選択肢として、該送信側装置が周波数分割複信（ＦＤＤ）システムに適用される場合、Ｍの値が１であり、Ｎが２以上の正の整数であり、ここで、該送信ユニット２１は、具体的に、サブフレームａにおいて、該第１情報を送信するように構成され、該受信ユニット２２は、具体的に、サブフレームａ＋４内の１個目の該第２時間単位内で、該第２情報を受信するように構成され、ａがサブフレームインデックス番号である。
【００９２】
本発明の実施例において、選択肢として、該送信側装置が周波数分割複信（ＦＤＤ）システムに適用される場合、Ｍの値が３であり、Ｎが２以上の正の整数であり、ここで、該送信ユニット２１は、具体的に、サブフレームａ内の１個目の該第１時間単位内で、該第１情報を送信するように構成され、該受信ユニット２２は、具体的に、サブフレームａ＋１内の２個目の該第２時間単位内で、該第２情報を受信するように構成され、ａがサブフレームインデックス番号であり、及び／又は、該送信ユニット２１は、具体的に、サブフレームａ内の２個目の該第１時間単位内又は３個目の該第１時間単位内で、該第１情報を送信するように構成され、該受信ユニット２２は、具体的に、サブフレームａ＋２内の１個目の該第２時間単位内で、該第２情報を受信するように構成され、ａがサブフレームインデックス番号である。
【００９３】
本発明の実施例において、選択肢として、該送信側装置が周波数分割複信（ＦＤＤ）システムに適用される場合、Ｍの値が４であり、Ｎが２以上の正の整数であり、ここで、該送信ユニット２１は、具体的に、サブフレームａ内の１個目の該第１時間単位内で、該第１情報を送信するように構成され、該受信ユニット２２は、具体的に、サブフレームａ＋１内の１個目の該第２時間単位内で、該第２情報を受信するように構成され、ａがサブフレームインデックス番号であり、及び／又は、該送信ユニット２１は、具体的に、サブフレームａ内の２個目の該第１時間単位又は３個目の該第１時間単位内で、該第１情報を送信するように構成され、該受信ユニット２２は、具体的に、サブフレームａ＋１内の２個目の該第２時間単位内で、該第２情報を受信するように構成され、ａがサブフレームインデックス番号であり、及び／又は、該送信ユニット２１は、具体的に、サブフレームａ内の４個目の該第１時間単位で、該第１情報を送信するように構成され、該受信ユニット２２は、具体的に、サブフレームａ＋２内の１個目の該第２時間単位内で、該第２情報を受信するように構成され、ａがサブフレームインデックス番号である。
【００９４】
本発明の実施例において、選択肢として、該送信側装置が周波数分割複信（ＦＤＤ）システムに適用される場合、Ｍが６以上の正の整数であり、Ｎが２以上の正の整数であり、ここで、該送信ユニット２１は、具体的に、サブフレームａ内の先頭からＭ−３個の該第１時間単位のうちのいずれか一つの該第１時間単位内で、該第１情報を送信するように構成され、該受信ユニット２２は、具体的に、サブフレームａ＋１内の１個目の該第２時間単位内で、該第２情報を受信するように構成され、ａがサブフレームインデックス番号であり、及び／又は、該送信ユニット２１は、具体的に、サブフレームａ内の末尾から３個の該第１時間単位のうちのいずれか一つの該第１時間単位内で、該第１情報を送信するように構成され、該受信ユニット２２は、具体的に、サブフレームａ＋１内の２個目の該第２時間単位内で、該第２情報を受信するように構成され、ａがサブフレームインデックス番号である。
【００９５】
本発明の実施例において、選択肢として、該送信側装置が時分割複信（ＴＤＤ）システムに適用される場合、Ｎの値が１であり、Ｍの値が２であり、
ここで、該送信側装置は、ＴＤＤアップリンク／ダウンリンク構成０に適用され、該送信ユニット２１は、具体的に、サブフレームａの１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０及び／又は１及び／又は５及び／又は６とし、
及び／又は、
該送信側装置は、ＴＤＤアップリンク／ダウンリンク構成０に適用され、該送信ユニット２１は、具体的に、サブフレームａ内の２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを０及び／又は１及び／又は５及び／又は６とし、
及び／又は、
該送信側装置は、ＴＤＤアップリンク／ダウンリンク構成１に適用され、該送信ユニット２１は、具体的に、サブフレームａ内の１個目の該第１時間単位内で、該第１情報を送信するように構成され、該受信ユニット２２は、具体的に、サブフレームａ＋３において、該第２情報を受信するように構成され、ａがサブフレームインデックス番号であり、ａを４及び／又は９とし、
及び／又は、
該送信側装置は、ＴＤＤアップリンク／ダウンリンク構成１に適用され、該送信ユニット２１は、具体的に、サブフレームａ内の２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを０及び／又は４及び／又は５及び／又は９とし、
及び／又は、
該送信側装置は、ＴＤＤアップリンク／ダウンリンク構成１に適用され、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０及び／又は１及び／又は５及び／又は６とし、
及び／又は、
該送信側装置は、ＴＤＤアップリンク／ダウンリンク構成１に適用され、該送信ユニット２１は、具体的に、サブフレームａ内の２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを０及び／又は５とし、
及び／又は、
該送信側装置は、ＴＤＤアップリンク／ダウンリンク構成１に適用され、該送信ユニット２１は、具体的に、サブフレームａ内の２個目の該第１時間単位内で、該第１情報を送信するように構成され、該受信ユニット２２は、具体的に、サブフレームａ＋６において、該第２情報を受信するように構成され、ａがサブフレームインデックス番号であり、ａを１及び／又は６とし、
及び／又は、
該送信側装置は、ＴＤＤアップリンク／ダウンリンク構成２に適用され、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０及び／又は５とし、
及び／又は、
該送信側装置は、ＴＤＤアップリンク／ダウンリンク構成２に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋６において、該第２情報を受信するように構成され、ａがサブフレームインデックス番号であり、ａを１及び／又は６とし、
及び／又は、
該送信側装置は、ＴＤＤアップリンク／ダウンリンク構成２に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋４において、該第２情報を受信するように構成され、ａがサブフレームインデックス番号であり、ａを３及び／又は８とし、
及び／又は、
該送信側装置は、ＴＤＤアップリンク／ダウンリンク構成２に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを４及び／又は９とし、
及び／又は、
該送信側装置は、ＴＤＤアップリンク／ダウンリンク構成３に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋７において、該第２情報を受信するように構成され、ａがサブフレームインデックス番号であり、ａを５とし、
及び／又は、
該送信側装置は、ＴＤＤアップリンク／ダウンリンク構成３に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋６において、該第２情報を受信するように構成され、ａがサブフレームインデックス番号であり、ａを６とし、
及び／又は、
該送信側装置は、ＴＤＤアップリンク／ダウンリンク構成３に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋５において、該第２情報を受信するように構成され、ａがサブフレームインデックス番号であり、ａを７とし、
及び／又は、
該送信側装置は、ＴＤＤアップリンク／ダウンリンク構成３に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋４において、該第２情報を受信するように構成され、ａがサブフレームインデックス番号であり、ａを８とし、
及び／又は、
該送信側装置は、ＴＤＤアップリンク／ダウンリンク構成３に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを９とし、
及び／又は、
該送信側装置は、ＴＤＤアップリンク／ダウンリンク構成３に適用され、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０及び／又は１とし、
及び／又は、
該送信側装置は、ＴＤＤアップリンク／ダウンリンク構成３に適用され、該送信ユニット２１は、具体的に、サブフレームａ内の２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを０及び／又は１とし、
及び／又は、
該送信側装置は、ＴＤＤアップリンク／ダウンリンク構成４に適用され、該送信ユニット２１は、具体的に、サブフレームａ内の２個目の該第１時間単位内で、該第１情報を送信するように構成され、該受信ユニット２２は、具体的に、サブフレームａ＋１１において、該第２情報を受信するように構成され、ａがサブフレームインデックス番号であり、ａを１とし、
及び／又は、
該送信側装置は、ＴＤＤアップリンク／ダウンリンク構成４に適用され、該送信ユニット２１は、具体的に、サブフレームａ内の第１及び／又は２個目の該第１時間単位内で、該第１情報を送信するように構成され、該受信ユニット２２は、具体的に、サブフレームａ＋８において、該第２情報を受信するように構成され、ａがサブフレームインデックス番号であり、ａを４とし、
及び／又は、
該送信側装置は、ＴＤＤアップリンク／ダウンリンク構成４に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋７において、該第２情報を受信するように構成され、ａがサブフレームインデックス番号であり、ａを５とし、
及び／又は、
該送信側装置は、ＴＤＤアップリンク／ダウンリンク構成４に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋６において、該第２情報を受信するように構成され、ａがサブフレームインデックス番号であり、ａを６とし、
及び／又は、
該送信側装置は、ＴＤＤアップリンク／ダウンリンク構成４に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋５において、該第２情報を受信するように構成され、ａがサブフレームインデックス番号であり、ａを７とし、
及び／又は、
該送信側装置は、ＴＤＤアップリンク／ダウンリンク構成４に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋４において、該第２情報を受信するように構成され、ａがサブフレームインデックス番号であり、ａを８とし、
及び／又は、
該送信側装置は、ＴＤＤアップリンク／ダウンリンク構成４に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを９とし、
及び／又は、
該送信側装置は、ＴＤＤアップリンク／ダウンリンク構成４に適用され、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０及び／又は１とし、
及び／又は、
該送信側装置は、ＴＤＤアップリンク／ダウンリンク構成５に適用され、該送信ユニット２１は、具体的に、サブフレームａ内の２個目の該第１時間単位内で、該第１情報を送信するように構成され、該受信ユニット２２は、具体的に、サブフレームａ＋１２において、該第２情報を受信するように構成され、ａがサブフレームインデックス番号であり、ａを０とし、
及び／又は、
該送信側装置は、ＴＤＤアップリンク／ダウンリンク構成５に適用され、該送信ユニット２１は、具体的に、サブフレームａ内の第１及び／又は２個目の該第１時間単位内で、該第１情報を送信するように構成され、該受信ユニット２２は、具体的に、サブフレームａ＋１１において、該第２情報を受信するように構成され、ａがサブフレームインデックス番号であり、ａを１とし、
及び／又は、
該送信側装置は、ＴＤＤアップリンク／ダウンリンク構成５に適用され、該送信ユニット２１は、具体的に、サブフレームａ内の第１及び／又は２個目の該第１時間単位内で、該第１情報を送信するように構成され、該受信ユニット２２は、具体的に、サブフレームａ＋９において、該第２情報を受信するように構成され、ａがサブフレームインデックス番号であり、ａを３とし、
及び／又は、
該送信側装置は、ＴＤＤアップリンク／ダウンリンク構成５に適用され、該送信ユニット２１は、具体的に、サブフレームａ内の第１及び／又は２個目の該第１時間単位内で、該第１情報を送信するように構成され、該受信ユニット２２は、具体的に、サブフレームａ＋８において、該第２情報を受信するように構成され、ａがサブフレームインデックス番号であり、ａを４とし、
及び／又は、
該送信側装置は、ＴＤＤアップリンク／ダウンリンク構成５に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋７において、該第２情報を受信するように構成され、ａがサブフレームインデックス番号であり、ａを５とし、
及び／又は、
該送信側装置は、ＴＤＤアップリンク／ダウンリンク構成５に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋６において、該第２情報を受信するように構成され、ａがサブフレームインデックス番号であり、ａを６とし、
及び／又は、
該送信側装置は、ＴＤＤアップリンク／ダウンリンク構成５に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋５において、該第２情報を受信するように構成され、ａがサブフレームインデックス番号であり、ａを７とし、
及び／又は、
該送信側装置は、ＴＤＤアップリンク／ダウンリンク構成５に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋４において、該第２情報を受信するように構成され、ａがサブフレームインデックス番号であり、ａを８とし、
及び／又は、
該送信側装置は、ＴＤＤアップリンク／ダウンリンク構成５に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを９とし、
及び／又は、
該送信側装置は、ＴＤＤアップリンク／ダウンリンク構成５に適用され、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０とし、
及び／又は、
該送信側装置は、ＴＤＤアップリンク／ダウンリンク構成６に適用され、該送信ユニット２１は、具体的に、サブフレームａ内の１個目の該第１時間単位内で、該第１情報を送信するように構成され、該受信ユニット２２は、具体的に、サブフレームａ＋２において、該第２情報を受信するように構成され、ａがサブフレームインデックス番号であり、ａを０及び／又は１及び／又は５及び／又は６とし、
及び／又は、
該送信側装置は、ＴＤＤアップリンク／ダウンリンク構成６に適用され、該送信ユニット２１は、具体的に、サブフレームａ内の２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを０及び／又は１及び／又は５とし、
及び／又は、
該送信側装置は、ＴＤＤアップリンク／ダウンリンク構成６に適用され、該送信ユニット２１は、具体的に、サブフレームａ内の２個目の該第１時間単位内で、該第１情報を送信するように構成され、該受信ユニット２２は、具体的に、サブフレームａ＋６において、該第２情報を受信するように構成され、ａがサブフレームインデックス番号であり、ａを６とし、
及び／又は、
該送信側装置は、ＴＤＤアップリンク／ダウンリンク構成６に適用され、該送信ユニット２１は、具体的に、サブフレームａ内の１個目及び／又は２個目の該第１時間単位内で、該第１情報を送信するように構成され、該受信ユニット２２は、具体的に、サブフレームａ＋３において、該第２情報を受信するように構成され、ａがサブフレームインデックス番号であり、ａを９とする。
【００９６】
本発明の実施例において、選択肢として、該送信ユニット２１は、具体的に、第１時間単位内で、物理ダウンリンク共有チャネル（ＰＤＳＣＨ）において、該受信側装置にダウンリンクデータを送信するように構成され、ここで、該受信ユニット２２は、具体的に、該第２時間単位内で、該受信側装置より送信されたフィードバック情報を受信するように構成され、該フィードバック情報は、該受信側装置が該ダウンリンクデータを成功に受信したか否かを示すために用いられる。
【００９７】
本発明の実施例において、選択肢として、該送信ユニット２１は、具体的に、第１時間単位内で、該受信側装置にダウンリンク制御シグナリングを送信するように構成され、該ダウンリンク制御シグナリングが、該受信側装置におけるアップリンクデータの伝送をスケジューリングするように用いられ、
ここで、該受信ユニット２２は、具体的に、該第２時間単位内で、物理アップリンク共有チャネル（ＰＵＳＣＨ）において、該受信側装置より送信されたアップリンクデータを受信するように構成される。
【００９８】
なお、本発明の実施例における送信側装置２０は、本発明の実施例における情報伝送を実施する方法１００に対応することができ、しかも、送信側装置２０内の各々のユニットの上記のとその他との操作及び／又は機能のそれぞれは、図１における方法内の送信側装置により実施される対応するフローを実現するためのものであり、簡潔のため、ここでそれ以上説明しない。
【００９９】
なお、本発明の実施例において、送信ユニット２１は、レシーバーにより実現されても良く、受信ユニット２２は、トランスミッタにより実現されても良く、図２０に示すように、送信側装置２００は、プロセッサ２０１、レシーバー２０２、トランスミッタ２０３及び記憶装置２０４を含むことが可能である。ここで、記憶装置２０４は、プロセッサ２０１により実行するコードなどを記憶するために用いられることが可能である。
【０１００】
送信側装置２００内の各コンポーネントはバスシステム２０５によってカップリンブされており、ここでバスシステム２０５は、データバス以外に、電源バス、制御バス及び状態信号バスを含む。
【０１０１】
なお、本発明の実施例における送信側装置２００は、本発明の実施例における受信側装置２０に対応することができ、本発明の実施例における方法を実行する主体に対応することができ、簡潔のため、ここでそれ以上説明しない。
【０１０２】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１０３】
当業者は、説明の便利と簡潔上、上記に記載されているシステム、装置及びユニットの具体的な動作については、上記の方法実施例の対応されているフローを参照することができ、ここでそれ以上述べない。
【０１０４】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１０５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１０６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１０７】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１０８】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020191639.tif 000003
【図２】
2020191639.tif 000004
【図３】
2020191639.tif 000005
【図４】
2020191639.tif 000006
【図５】
2020191639.tif 000007
【図６】
2020191639.tif 000008
【図７】
2020191639.tif 000009
【図８】
2020191639.tif 000010
【図９】
2020191639.tif 000011
【図１０】
2020191639.tif 000012
【図１１】
2020191639.tif 000013
【図１２】
2020191639.tif 000014
【図１３】
2020191639.tif 000015
【図１４】
2020191639.tif 000016
【図１５】
2020191639.tif 000017
【図１６】
2020191639.tif 000018
【図１７】
2020191639.tif 000019
【図１８】
2020191639.tif 000020
【図１９】
2020191639.tif 000021
【図２０】
2020191639.tif 000022
【手続補正書】
【提出日】令和2年10月16日(2020.10.16)
【手続補正１】
【補正対象書類名】明細書
【補正対象項目名】００３７
【補正方法】変更
【補正の内容】
【００３７】
【図１】本発明の実施例における情報伝送の方法を示すフローチャートである。
【図２】本発明の実施例における情報伝送のタイムシーケンスを示す図である。
【図３】本発明の別の一つの実施例によるＦＤＤシステムにおける情報伝送のタイムシーケンスを示す図である。
【図４】本発明のもう一つの実施例によるＦＤＤシステムにおける情報伝送のタイムシーケンスを示す図である。
【図５】本発明のもう一つの実施例によるＦＤＤシステムにおける情報伝送のタイムシーケンスを示す図である。
【図６】本発明のもう一つの実施例によるＦＤＤシステムにおける情報伝送のタイムシーケンスを示す図である。
【図７】本発明のもう一つの実施例によるＦＤＤシステムにおける情報伝送のタイムシーケンスを示す図である。
【図８】本発明のもう一つの実施例によるＦＤＤシステムにおける情報伝送のタイムシーケンスを示す図である。
【図９】本発明のもう一つの実施例によるＦＤＤシステムにおける情報伝送のタイムシーケンスを示す図である。
【図１０】本発明の実施例によるＴＤＤシステムにおける情報伝送のタイムシーケンスを示す図である。
【図１１】本発明の別の一つの実施例によるＴＤＤシステムにおける情報伝送のタイムシーケンスを示す図である。
【図１２】本発明のもう一つの実施例によるＴＤＤシステムにおける情報伝送のタイムシーケンスを示す図である。
【図１３】本発明のもう一つの実施例によるＴＤＤシステムにおける情報伝送のタイムシーケンスを示す図である。
【図１４】本発明のもう一つの実施例によるＴＤＤシステムにおける情報伝送のタイムシーケンスを示す図である。
【図１５】本発明のもう一つの実施例によるＴＤＤシステムにおける情報伝送のタイムシーケンスを示す図である。
【図１６】本発明のもう一つの実施例によるＴＤＤシステムにおける情報伝送のタイムシーケンスを示す図である。
【図１７】本発明の実施例における受信側装置を示すブロック図である。
【図１８】本発明の別の一つの実施例における受信側装置を示すブロック図である。
【図１９】本発明の実施例における送信側装置を示すブロック図である。
【図２０】本発明の別の一つの実施例における送信側装置を示すブロック図である。